(57)【特許請求の範囲】
【請求項１】
遊技機に対応して遊技場に設けられる第１種類の周辺機器を管理する管理サーバであって、
前記第１種類の周辺機器から得られる複数種類の項目を含む第１データを、遊技機に対応して遊技場に設けられる第２種類の周辺機器を管理する他のサーバに送信する送信手段と、
前記第２種類の周辺機器から得られる複数種類の項目を含む第２データを、前記他のサーバから受信する受信手段と、
前記第１データにおける項目の件数と前記第２データにおける項目の件数との差を特定可能な特定手段と、
前記特定手段によって特定された項目の件数の差に基づいて精算金額を算出する算出手段と、を備え、
データに含まれる項目の種類によって該項目の価値が異なり、
前記算出手段は、前記特定手段によって特定された項目の件数の差と、前記第１データに含まれる項目と前記第２データに含まれる項目との違いによる項目の価値の差と、に基づいて精算金額を算出する、
ことを特徴とする管理サーバ。
【発明の詳細な説明】
【技術分野】
【０００１】
本発明は、管理サーバに関する。
【背景技術】
【０００２】
複数の遊技店（遊技場）から種々の情報を収集、加工して、提供する情報提供システムが知られている（例えば、特許文献１参照）。
【先行技術文献】
【特許文献】
【０００３】
【特許文献１】特開２０１０−２５９７１４号公報
【発明の概要】
【発明が解決しようとする課題】
【０００４】
しかしながら、遊技場からの情報を集めるのは難しいという問題がある。
【０００５】
本発明は、上記の点に鑑みなされたものであり、遊技場からの情報を好適に集めることができる技術を提供することを目的とする。
【課題を解決するための手段】
【０００６】
（１）上記目的を達成するため、本発明の一態様による遊技用システム（例えば、情報連携システム１〜情報連携システム５等）は、遊技機（例えば、遊技機１００、２００等）に対応して遊技場（例えば、加盟店の店舗等）に設けられる第１種類の周辺機器（例えば、ＣＵ２１０、情報表示装置１２０等）を管理（管理には情報の取得の他、メンテナンス等の保守も含まれていてもよい。以下、同様）する第１の管理手段（例えば、情報表示装置１２０からの情報に基づく呼出器系情報を呼出器管理コンピュータ１４０から取得するグループＡ管理サーバ１０等）と、第２種類の周辺機器（例えば、ＣＵ２１０、情報表示装置１２０、玉管理コンピュータ２５０、呼出器管理コンピュータ１４０、ＨＣ１３０のうちの第１種類の周辺機器とは異なるもの）を管理する第２の管理手段（例えば、ＣＵ２１０からの情報に基づくＣＵ系情報を玉管理コンピュータ２５０から取得するグループＢ管理サーバ２０等）と、の間の情報連携を行う遊技用システムであって、第１の管理手段（例えば、グループＡ管理サーバ１０等）は、第１種類の周辺機器から得られる情報（例えば、呼出器系情報等）を第２の管理手段（例えば、グループＢ管理サーバ２０等）に送信し、第２種類の周辺機器（例えば、玉管理コンピュータ２５０等）から得られる情報（例えば、ＣＵ系情報を元に生成されるグループＡ向け変換情報（ＣＵ系情報ベース）等。なお、図８（Ａ）等に示すように、グループＡ向け変換情報（ＣＵ系情報ベース）は、玉管理コンピュータ２５０から得られる情報（一部）である。）を第２の管理手段（例えば、グループＢ管理サーバ２０等）から受信する送受信手段（例えば、図６のステップＳａ１０、Ｓａ２４の処理等）と、第２の管理手段から受信した情報量（例えば、グループＡ向け変換情報（ＣＵ系情報ベース）の情報量等）と第２の管理手段に送信した情報量（例えば、呼出器系情報の情報量等）とにおける情報量の差を特定可能な特定手段（例えば、図１０のステップＳａ１５０の処理等）とを備える。
【０００７】
上記構成によれば、遊技場に関する情報を好適に集めることができる。なお、第１の管理手段は、グループＡ管理サーバ１０に限定されない。例えば、第１の管理手段は、グループＢ管理サーバ２０であってもよいし、グループＣ管理サーバ３０であってもよい。また、第２の管理手段は、グループＢ管理サーバ２０に限定されない。例えば、第２の管理手段は、グループＡ管理サーバ１０であってもよいし、グループＣ管理サーバ３０であってもよい。
【０００８】
（２）また、上記（１）に記載の遊技用システムにおいて、第２の管理手段（例えば、グループＢ管理サーバ２０等）は、第２種類の周辺機器から得られる情報（例えば、グループＡ向け変換情報（ＣＵ系情報ベース）等）を第１の管理手段（例えば、グループＡ管理サーバ１０等）に送信し、第１種類の周辺機器から得られる情報（例えば、呼出器系情報等）を第１の管理手段から受信する送受信手段（例えば、図６のステップＳｂ１２、Ｓｂ２２の処理等）と、第１の管理手段から受信した情報量（例えば、呼出器系情報の情報量等）と第１の管理手段に送信した情報量（例えば、グループＡ向け変換情報（ＣＵ系情報ベース）の情報量等）とにおける情報量の差を特定可能な特定手段（例えば、図１０のステップＳｂ１５０の処理等）とを備えるものであってもよい。
【０００９】
上記構成によれば、遊技場に関する情報を好適に集めることができる。
【００１０】
（３）また、上記（１）又は（２）に記載の遊技用システムにおいて、
、第１種類の周辺機器から得られる情報の項目と、第２種類の周辺機器から得られる情報の項目とは、少なくとも一部が異なる（例えば、図７（Ｂ）に示した呼出器系情報のデータ項目と、図８（Ａ）に示したグループＡ向け変換情報（ＣＵ系情報ベース）のデータ項目とは、例えば、大当り（初当）の総回数の有無が異なる）ものであってもよい。
【００１１】
上記構成によれば、項目が異なる情報も好適に集めることができる。
【００１２】
（４）また、上記（１）乃至（３）の何れかに記載の遊技用システムは、前記特定手段によって前記情報量の差が特定された場合に精算金額を算出する算出手段（例えば、図６、図１０〜図１２のステップＳａ５０、Ｓｂ５０、Ｓｃ５０の処理等）を備えるものであってもよい。
【００１３】
上記構成によれば、遊技場に関する情報を好適に集めることができる。
【００１４】
（５）また、上記（４）に記載の遊技用システムは、前記算出手段は、第１種類の周辺機器から得られる情報と第２種類の周辺機器から得られる情報とは価値が異なるものとして精算金額を算出してもよい（例えば、図１１、図１２において、呼出器系情報の情報量に対する単価（第２単価）と、グループＡ向け変換情報（ＣＵ系情報ベース）に対する単価（第３単価）とを異ならせて精算金額を算出してもよい）。
【００１５】
上記構成によれば、遊技場に関する情報を好適に集めることができる。
【００１６】
（６）また、上記（４）又は（５）に記載の遊技用システムにおいて、前記算出手段は、第２の管理手段（例えば、グループＢ管理サーバ２０等）が管理する第２種類の周辺機器（例えば、ＣＵ２１０や玉管理コンピュータ２５０等）を設置している者（例えば、グループＢの加盟店等）に、第１種類の周辺機器から得られる情報（例えば、呼出器系情報等）を送信するときに発生する、第１の管理手段側（例えば、グループＡ管理サーバ１０側等）から第２の管理手段側（例えば、グループＢ管理サーバ２０側等）への精算金額（図１４のＭ１０の金額等）を算出してもよい。例えば、上記精算金額として、第２種類の周辺機器を設置している者が第１の管理手段側に支払う金額（例えば、第１種類の周辺機器から得られる情報の情報量に応じた金額）の一部（所定の割合）を算出してもよい。
【００１７】
上記構成によれば、遊技場に関する情報を好適に集めることができる。
【００１８】
（７）また、上記（１）乃至（６）の何れかに記載の遊技用システムは、第１種類の周辺機器（例えば、ＣＵ２１０等）から得られる情報（例えば、ＣＵ系情報等）を第２種類の周辺機器（例えば、呼出器管理コンピュータ１４０、ＨＣ１３０等）から得られる情報（例えば、呼出器系情報、ＨＣ系情報等）の形式（データ項目やデータの値の細かさ）に変換する変換手段（例えば、図６のステップＳｂ２０、Ｓｂ３０の処理等）を備えるものであってもよい。
【００１９】
上記構成によれば、遊技場に関する情報を好適に集めることができる。
【００２０】
（８）また、上記（１）乃至（７）の何れかに記載の遊技用システムにおいて、第１の管理手段（例えば、グループＢ管理サーバ２０等）の前記送受信手段は、第３種類の周辺機器（例えば、ＨＣ１３０等）を管理する第３の管理手段（例えば、グループＣ管理サーバ３０等）に、第２の管理手段（例えば、グループＡ管理サーバ１０等）から受信した第２種類の周辺機器から得られる情報（例えば、呼出器系情報を元に生成されるグループＣ向け変換情報（呼出器系情報ベース）等。なお、図９（Ｃ）等に示すように、グループＣ向け変換情報（呼出器系情報ベース）は、呼出器管理コンピュータ１４０から得られる情報（一部）である。）を送信してもよい。
【００２１】
上記構成によれば、遊技場に関する情報を好適に集めることができる。
【００２２】
（９）また、上記（７）に記載の遊技用システムにおいて、第１の管理手段（例えば、グループＢ管理サーバ２０等）の前記送受信手段は、第３種類の周辺機器（例えば、ＨＣ１３０等）から得られる情報（例えば、ＨＣ系情報等）を第３の管理手段（例えば、グループＣ管理サーバ３０等）から受信し（例えば、図６のＳｂ１６の処理等）、第１の管理手段が備える前記変換手段は、第３種類の周辺機器から得られる情報（例えば、ＨＣ系情報等）を第２種類の周辺機器から得られる情報（例えば、呼出器系情報等）の形式に変換してもよい。
【００２３】
上記構成によれば、遊技場に関する情報を好適に集めることができる。
【００２４】
（１０）また、本発明の一態様による管理サーバは、遊技機（例えば、遊技機２００等）に対応して遊技場（例えば、加盟店の店舗等）に設けられる第１種類の周辺機器（例えば、ＣＵ２１０等）を管理する管理サーバ（例えば、グループＢ管理サーバ２０等）であって、第１種類の周辺機器から得られる情報（例えば、ＣＵ系情報を元に生成されるグループＡ向け変換情報（ＣＵ系情報ベース）やグループＣ向け変換情報（ＣＵ系情報ベース）等。なお、図８（Ａ）や図８（Ｃ）等に示すように、グループＡ向け変換情報（ＣＵ系情報ベース）やグループＣ向け変換情報（ＣＵ系情報ベース）は、ＣＵ２１０から得られる情報（一部）である。）を第２種類の周辺機器を管理する第２の管理手段（例えば、グループＡ管理サーバ１０やグループＣ管理サーバ３０等）に送信する送信手段（例えば、図６のステップＳｂ２２、Ｓｂ３２等）と、第２種類の周辺機器から得られる情報を第２の管理手段から受信する受信手段（例えば、図６のステップＳｂ１２、Ｓｂ１６等）と、第２の管理手段から受信した情報量と第２の管理手段に送信した情報量とにおける情報量の差を特定可能な特定手段（例えば、図１０（Ｂ）のステップＳｂ１５０、ステップＳｂ１５２等）とを備える。
（１１）また、本発明の一態様による管理サーバは、遊技機（例えば、遊技機２００等）に対応して遊技場（例えば、加盟店の店舗等）に設けられる第１種類の周辺機器（例えば、ＣＵ２１０、玉管理コンピュータ２５０等）を管理する管理サーバ（例えば、グループＢ管理サーバ２０等）であって、前記第１種類の周辺機器から得られる複数種類の項目を含む第１データ（ＣＵ系情報を元に生成されるグループＡ向け変換情報（ＣＵ系情報ベース）等。グループＡ向け変換情報（ＣＵ系情報ベース）は、玉管理コンピュータ２５０から得られる情報（一部）である。）を、遊技機に対応して遊技場に設けられる第２種類の周辺機器（例えば、第１種類の周辺機器とは異なるもの）を管理する他のサーバ（例えば、グループＡ管理サーバ１０等）に送信する送信手段（例えば、図６のステップＳｂ２２等）と、前記第２種類の周辺機器から得られる複数種類の項目を含む第２データ（呼出器系情報等）を、前記他のサーバから受信する受信手段（例えば、図６のステップＳｂ１２等）と、前記第１データにおける項目の件数（グループＡ向け変換情報（ＣＵ系情報ベース）のデータの件数等）と前記第２データにおける項目の件数（呼出器系情報のデータの件数等）との差を特定可能な特定手段（図１０のステップＳｂ１５０の処理等）と、前記特定手段によって特定された項目の件数の差に基づいて精算金額を算出する算出手段（図１０のステップＳｂ１５１の処理等）と、を備え、データに含まれる項目の種類によって該項目の価値が異なり、前記算出手段は、前記特定手段によって特定された項目の件数の差と、前記第１データに含まれる項目と前記第２データに含まれる項目との違いによる項目の価値の差と、に基づいて精算金額を算出する、ことを特徴とする。
【００２５】
上記構成によれば、遊技場に関する情報を好適に集めることができる。
【図面の簡単な説明】
【００２６】
【図１】グループＡ管理サーバによる情報の管理方式等の一例を説明するための概略図である。
【図２】グループＢ管理サーバによる情報の管理方式等の一例を説明するための概略図である。
【図３】グループＣ管理サーバによる情報の管理方式等の一例を説明するための概略図である。
【図４】ＣＵ系情報、呼出器系情報、ＨＣ系情報の夫々の項目の一例である。
【図５】管理サーバ間の連携等の一態様を説明するための概略図である。
【図６】管理サーバの動作の一例を示すフローチャートである。
【図７】ＣＵ系情報、呼出器系情報、ＨＣ系情報の一例である。
【図８】変換情報、オプション情報の一例である。
【図９】合成情報、変換情報の一例である。
【図１０】精算処理の第１の実施例を示すフローチャートである。
【図１１】精算処理の第２の実施例を示すフローチャートである。
【図１２】精算処理の第３の実施例を示すフローチャートである。
【図１３】管理サーバ間の連携等の他の態様を説明するための概略図である。
【図１４】管理サーバ間の連携等の他の態様を説明するための概略図である。
【図１５】ＣＵ系情報、呼出器系情報、ＨＣ系情報の一例である。
【図１６】変換情報、オプション情報等の一例である。
【図１７】ＣＵ系情報、呼出器系情報の一例である。
【図１８】変換情報、オプション情報の一例である。
【発明を実施するための形態】
【００２７】
以下、図面を参照しつつ、本発明の実施形態を詳細に説明する。図１は、グループＡ管理サーバ１０による情報の管理方式等の一例を説明するための概略図である。図２は、グループＢ管理サーバ２０による情報の管理方式等の一例を説明するための概略図である。図３は、グループＣ管理サーバ３０による情報の管理方式等の一例を説明するための概略図である。
【００２８】
＜グループＡ、グループＢ、グループＣ等の定義＞
本明細書等において、グループＡとは、図１に示すように、グループＡ管理サーバ１０に呼出器系情報を送信（供給）する店舗を加盟店とするグループである。換言すれば、グループＡの加盟店とは、グループＡ管理サーバ１０に呼出器系情報を送信する店舗である。また、グループＡ管理サーバ１０とは、グループＡの加盟店である店舗から送信される呼出器系情報を受信（取得、収集）するサーバである。なお、呼出器系情報については後述する。
【００２９】
本明細書等において、グループＢとは、図２に示すように、グループＢ管理サーバ２０にＣＵ系情報を送信（供給）する店舗を加盟店とするグループである。換言すれば、グループＢの加盟店とは、グループＢ管理サーバ２０にＣＵ系情報を送信する店舗である。また、グループＢ管理サーバ２０とは、グループＢの加盟店である店舗から送信されるＣＵ系情報を受信（取得、収集）するサーバである。なお、ＣＵ系情報については後述する。
【００３０】
本明細書等において、グループＣとは、図３に示すように、グループＣ管理サーバ３０にＨＣ系情報を送信（供給）する店舗を加盟店とするグループである。換言すれば、グループＣの加盟店とは、グループＣ管理サーバ３０にＨＣ系情報を送信する店舗である。また、グループＣ管理サーバ３０とは、グループＣの加盟店である店舗から送信されるＨＣ系情報を受信（取得、収集）するサーバである。なお、ＨＣ系情報については後述する。
【００３１】
＜遊技機（タイプ１）、遊技機（タイプ２）の定義＞
本明細書等において、遊技機（タイプ１）とは、カードユニット（以下、「ＣＵ」とも称する場合がある）側に出力可能な情報が比較的少ない遊技機である。遊技機（タイプ２）とは、カードユニット側に出力可能な情報が比較的多い遊技機である。つまり、遊技機（タイプ１）よりも遊技機（タイプ２）の方が、より多くの情報をカードユニット側に出力可能である。
【００３２】
例えば、遊技機（タイプ１）は、現行世代の遊技機（例えば、ＣＲ機などとも称される遊技機）であってもよい。また、遊技機（タイプ２）は、次世代の遊技機（例えば、封入式遊技機やＥＣＯ遊技機などとも称される遊技機）であってもよい。遊技機（タイプ１）が現行世代の遊技機、遊技機（タイプ２）が次世代の遊技機である場合、遊技機（タイプ１）と遊技機（タイプ２）とでは種々の点（例えば、筐体の仕様等）が異なり得るが、本明細書等においては、上述したように、少なくとも、遊技機（タイプ１）によりも遊技機（タイプ２）の方が、より多くの情報をカードユニット側に出力可能である点が異なっていればよい（当然、他の点が異なっていてもよい）。
【００３３】
＜ＣＵ（タイプ１）、ＣＵ（タイプ２）の定義＞
本明細書等において、ＣＵ（タイプ１）とは、遊技機（タイプ１）に対応するカードユニットである。ＣＵ（タイプ２）とは、遊技機（タイプ２）に対応するカードユニットである。つまり、ＣＵ（タイプ１）よりもＣＵ（タイプ２）の方が、より多くの情報を遊技機側から入力可能である。
【００３４】
例えば、ＣＵ（タイプ１）は、現行世代のＣＵ（例えば、ＣＲユニットなどとも称されるカードユニット）であってもよい。また、ＣＵ（タイプ２）は、次世代のＣＵ（例えば、ＥＣＯユニットなどとも称されるカードユニット）であってもよい。ＣＵ（タイプ１）が現行世代のＣＵであって、ＣＵ（タイプ２）が次世代のＣＵである場合、ＣＵ（タイプ１）とＣＵ（タイプ２）とでは種々の点（例えば、筐体の仕様等）が異なり得るが、本明細書等においては、上述したように、少なくとも、ＣＵ（タイプ１）よりもＣＵ（タイプ２）の方が、より多くの情報を遊技機側から入力可能である点が異なっていればよい（当然、他の点が異なっていてもよい）。
【００３５】
つまり、遊技機とＣＵとの間において入出力可能な情報は、遊技機（タイプ２）とＣＵ（タイプ２）とを接続した場合の方が、遊技機（タイプ１）とＣＵ（タイプ１）とを接続した場合よりも多くなる。
【００３６】
なお、遊技機（タイプ２）とＣＵ（タイプ１）とは接続不能としてもよいし接続可能としてもよい。但し、遊技機（タイプ２）とＣＵ（タイプ１）とを接続したとしても、遊技機（タイプ２）とＣＵ（タイプ１）との間において入出力可能な情報は、遊技機（タイプ１）とＣＵ（タイプ１）とを接続した場合と同じであるものとする（即ち、遊技機（タイプ２）とＣＵ（タイプ２）とを接続した場合のようには、より多くの情報を得ることはできないものとする）。また、遊技機（タイプ１）とＣＵ（タイプ２）とは接続不能としてもよいし接続可能としてもよい。但し、遊技機（タイプ１）とＣＵ（タイプ２）とを接続したとしても、遊技機（タイプ１）とＣＵ（タイプ２）との間において入出力可能な情報は、遊技機（タイプ１）とＣＵ（タイプ１）とを接続した場合と同じであるものとする（即ち、遊技機（タイプ２）とＣＵ（タイプ２）とを接続した場合のようには、より多くの情報を得ることはできないものとする）。
【００３７】
＜玉管理コンピュータ（タイプ１）、玉管理コンピュータ（タイプ２）の定義＞
本明細書等において、玉管理コンピュータ（タイプ１）とは、ＣＵ（タイプ１）に対応する玉管理コンピュータである。玉管理コンピュータ（タイプ２）とは、ＣＵ（タイプ２）に対応する玉管理コンピュータである。つまり、玉管理コンピュータ（タイプ１）よりも玉管理コンピュータ（タイプ２）の方が、より多くの情報をカードユニット側から入力可能である。
【００３８】
なお、ＣＵ（タイプ２）と玉管理コンピュータ（タイプ１）とは接続不能としてもよいし接続可能としてもよい。但し、ＣＵ（タイプ２）と玉管理コンピュータ（タイプ１）とを接続したとしても、ＣＵ（タイプ２）と玉管理コンピュータ（タイプ１）との間において入出力可能な情報は、ＣＵ（タイプ１）と玉管理コンピュータ（タイプ１）とを接続した場合と同じであるものとする（即ち、ＣＵ（タイプ２）と玉管理コンピュータ（タイプ２）とを接続した場合のようには、より多くの情報を得ることはできないものとする）。また、ＣＵ（タイプ１）と玉管理コンピュータ（タイプ２）とは接続不能としてもよいし接続可能としてもよい。但し、ＣＵ（タイプ１）と玉管理コンピュータ（タイプ２）とを接続したとしても、ＣＵ（タイプ１）と玉管理コンピュータ（タイプ２）との間において入出力可能な情報は、ＣＵ（タイプ１）と玉管理コンピュータ（タイプ１）とを接続した場合と同じであるものとする（即ち、ＣＵ（タイプ２）と玉管理コンピュータ（タイプ２）とを接続した場合のようには、より多くの情報を得ることはできないものとする）。
【００３９】
＜グループＡの加盟店の各店舗の装置構成＞
図１に示すように、グループＡの加盟店の各店舗には、複数の遊技機（タイプ１）１００−１、…、遊技機（タイプ１）１００−Ｎが設置されている。以下、遊技機（タイプ１）１００−１、…、遊技機（タイプ１）１００−Ｎの個々を区別しない場合には、遊技機（タイプ１）１００（又は、単に遊技機１００）と総称する。なお、遊技機１００は、機種（型式）を問わない。つまり、遊技機１００には、複数の機種が存在してもよい。また、遊技機１００の設置台数は、店舗毎に異なっていてもよい。
【００４０】
また、グループＡの加盟店の各店舗には、複数の遊技機１００−１、…、遊技機１００−Ｎの夫々に対応する複数のＣＵ（タイプ１）１１０−１、…、ＣＵ（タイプ１）１１０−Ｎが設置されている。以下、ＣＵ（タイプ１）１１０−１、…、ＣＵ（タイプ１）１１０−Ｎの個々を区別しない場合には、ＣＵ（タイプ１）１１０（又は、単にＣＵ１１０）と総称する。なお、ＣＵ１１０は、機種（型式）を問わない。つまり、ＣＵ１１０には、複数の機種が存在してもよい。
【００４１】
また、グループＡの加盟店の各店舗には、複数の遊技機１００−１、…、遊技機１００−Ｎの夫々に対応する複数の情報表示装置（呼出器とも称する）１２０−１、…、情報表示装置１２０−Ｎが設置されている。以下、情報表示装置１２０−１、…、情報表示装置１２０−Ｎの個々を区別しない場合には、情報表示装置１２０（又は、呼出器１２０）と総称する。なお、情報表示装置１２０は、機種（型式）を問わない。つまり、情報表示装置１２０には、複数の機種が存在してもよい。
【００４２】
また、グループＡの加盟店の各店舗には、ホールコンピュータ（以下、「ＨＣ」とも称する場合がある）１３０、呼出器管理コンピュータ１４０、玉管理コンピュータ（タイプ１）１５０が設置されている。以下、玉管理コンピュータ（タイプ１）１５０を単に玉管理コンピュータ１５０と称する場合がある。
【００４３】
＜グループＡの加盟店の各店舗に設置される遊技機１００の機能＞
遊技機１００は、比較的少数の情報をＣＵ１１０に送信する。例えば、遊技機１００は、大当りに関する情報として、大当り（複数種類の大当りを搭載している遊技機１００の場合には何れかの大当り）になった旨の情報をＣＵ１１０に送信する。なお、遊技機１００は、例えば、大当り信号、確変信号、時短中信号、打込信号、賞球信号、パチンコ機不正信号、パチンコ機異常信号（例えば、ベース異常情報等）、図柄確定信号などといったものもＣＵ１１０に送信してもよい。
【００４４】
また、遊技機１００は、比較的少数の情報を呼出器１２０に送信する。例えば、遊技機１００は、大当りに関する情報として、大当りになった旨の情報を呼出器１２０に送信する。
【００４５】
また、遊技機１００は、比較的多数の情報をＨＣ１３０に送信する。例えば、遊技機１００は、大当りに関する情報として、大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報をＨＣ１３０に送信する。
【００４６】
大当り（出玉大）になった旨の情報とは、出玉数が多い大当り（例えば、出玉数が異なる３種類の大当りを搭載している遊技機１００の場合には出玉数が最も多い大当り、出玉数が異なる２種類の大当りを搭載している遊技機１００の場合には出玉数が多い方の大当り等）となった旨の情報である。大当り（出玉小）になった旨の情報とは、出玉数が少ない大当り（例えば、出玉数が異なる３種類の大当りを搭載している遊技機１００の場合には出玉数が最も少ない大当り、出玉数が異なる２種類の大当りを搭載している遊技機１００の場合には出玉数が少ない方の大当り等）となった旨の情報である。大当り（出玉中）になった旨の情報とは、出玉数が中程度の大当り（例えば、出玉数が異なる３種類の大当りを搭載している遊技機１００の場合には出玉数が２番目に多い大当り等）となった旨の情報である。大当り（初当）になった旨の情報とは、遊技機１００の遊技状態が非確変状態（大当りとなる確率が通常確率である状態）であるときに大当りとなった旨の情報である。大当り（確変中）になった旨の情報とは、遊技機１００の遊技状態が確変状態（大当りとなる確率が通常確率よりも高い高確率である状態。有利状態の一態様）であるときに大当りとなった旨の情報である。
【００４７】
従って、例えば、遊技機１００は、確変状態において出玉数が多い大当りになった場合には、大当りになった旨の情報をＣＵ１１０及び呼出器１２０に送信するとともに、大当りになった旨の情報と、大当り（確変中）になった旨の情報と、大当り（出玉大）になった旨の情報とをＨＣ１３０に送信する。また例えば、遊技機１００は、非確変状態において出玉数が少ない大当りになった場合には、大当りになった旨の情報をＣＵ１１０及び呼出器１２０に送信するとともに、大当りになった旨の情報と、大当り（初当）になった旨の情報と、大当り（出玉小）になった旨の情報とをＨＣ１３０に送信する。
【００４８】
なお、遊技機１００は、複数の情報を１つの情報に纏めて送信してもよい。例えば、遊技機１００は、大当りになった旨の情報と、大当り（出玉大）になった旨の情報と、大当り（確変中）になった旨の情報とをＨＣ１３０に送信するのに代えて、大当りになった旨の情報と大当り（出玉大）になった旨の情報と大当り（確変中）になった旨の情報とを含む情報をＨＣ１３０に送信してもよいし、確変状態において出玉数が多い大当りになった旨の情報をＨＣ１３０に送信してもよい。
【００４９】
また、本実施形態では、いわゆる潜伏確変状態（電チューサポート無の確変状態。有利状態の一態様）において大当りになった場合には、遊技機１００は、大当り（確変中）になった旨の情報をＨＣ１３０に送信するものとする。なお、潜伏確変状態において大当りになった場合に、遊技機１００は、大当り（確変中）になった旨の情報に代えて、大当り（初当）になった旨の情報をＨＣ１３０に送信してもよい。
【００５０】
また、本実施形態では、いわゆる時短状態（電チューサポート有の非確変状態。有利状態の一態様）において大当りになった場合には、遊技機１００は、大当り（初当）になった旨の情報をＨＣ１３０に送信するものとする。なお、時短状態において大当りになった場合に、遊技機１００は、大当り（初当）になった旨の情報に代えて、大当り（確変中）になった旨の情報をＨＣ１３０に送信してもよい。
【００５１】
また、本実施形態では、１種類の大当りしか搭載していない遊技機１００において大当りになった場合には、大当り（出玉大）になった旨の情報をＨＣ１３０に送信するものとする。なお、１種類の大当りしか搭載していない遊技機１００において大当りになった場合に、大当り（出玉大）になった旨の情報に代えて、大当り（出玉小）になった旨の情報か、大当り（出玉中）になった旨の情報をＨＣ１３０に送信してもよい。
【００５２】
＜グループＡの加盟店の各店舗に設置されるＣＵ１１０の機能＞
ＣＵ１１０は、制御部、記憶部、通信部、操作部、表示部、紙幣投入口、プリペイドカード挿入排出口を備える（更に、撮像部等を備えていてもよい）。例えば、ＣＵ１１０は、大当りに関する情報として、大当りになった旨の情報を遊技機１００から受信する。
【００５３】
ＣＵ１１０は、プリペイドカードへの入金があった場合（紙幣が紙幣投入口に投入された場合）には、入金金額に関する情報を情報表示装置１２０や玉管理コンピュータ１５０に送信する。また、ＣＵ１１０は、プリペイドカードの金額が消費された場合（操作部の操作によって玉貸しの操作があった場合）には、消費金額に関する情報を情報表示装置１２０や玉管理コンピュータ１５０に送信する。また、ＣＰＵ１１０は、遊技機１００から受信した大当りに関する情報（大当りになった旨の情報）を玉管理コンピュータ１５０に送信してもよい。なお、ＣＵ１１０は、カード挿入／排出信号、受付ＩＤ、所持貯玉数信号、玉払出信号、ユニット不正信号、ユニット異常信号などといったものも情報表示装置１２０や玉管理コンピュータ１５０に送信してもよい。
【００５４】
＜グループＡの加盟店の各店舗に設置される情報表示装置１２０の機能＞
情報表示装置１２０は、制御部、記憶部、通信部、操作部、表示部等を備える。例えば、情報表示装置１２０は、大当りに関する情報として、大当りになった旨の情報を遊技機１００から受信する。また、情報表示装置１２０は、入金金額に関する情報や消費金額に関する情報をＣＵ１１０から受信する。また、情報表示装置１２０は、大当りに関する情報として、大当り（初当）になった旨の情報や大当り（確変中）になった旨の情報をＨＣ１３０から受信する。
【００５５】
情報表示装置１２０は、遊技機１００から受信した大当りに関する情報（大当りになった旨の情報）を呼出器管理コンピュータ１４０に送信する。また、情報表示装置１２０は、ＨＣ１３０から受信した大当りに関する情報（大当り（初当）になった旨の情報、大当り（確変中）になった旨の情報）を呼出器管理コンピュータ１４０に送信する。また、情報表示装置１２０は、ＣＵ１１０から受信した入金金額に関する情報や消費金額に関する情報を呼出器管理コンピュータ１４０に送信する。
【００５６】
＜グループＡの加盟店の各店舗に設置されるＨＣ１３０の機能＞
ＨＣ１３０は、制御部、記憶部、通信部を備える（更に、操作部、表示部等を備えていてもよい）。例えば、ＨＣ１３０は、大当りに関する情報（大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報）を遊技機１００から受信する。
【００５７】
ＨＣ１３０は、一部の大当りに関する情報（大当り（初当）になった旨の情報、大当り（確変中）になった旨の情報）を情報表示装置１２０に送信する。また、ＨＣ１３０は、上記送信以外にも、遊技機１００から受信した情報を外部に送信してもよい。
【００５８】
＜グループＡの加盟店の各店舗に設置される呼出器管理コンピュータ１４０の機能＞
呼出器管理コンピュータ１４０は、制御部、記憶部、通信部を備える（更に、操作部、表示部等を備えていてもよい）。例えば、呼出器管理コンピュータ１４０は、大当りに関する情報として、大当りになった旨の情報、大当り（初当）になった旨の情報、大当り（確変中）になった旨の情報を情報表示装置１２０から受信する。また、呼出器管理コンピュータ１４０は、入金金額に関する情報や消費金額に関する情報を情報表示装置１２０から受信する。
【００５９】
呼出器管理コンピュータ１４０は、情報表示装置１２０から受信した大当りに関する情報（大当りになった旨の情報、大当り（初当）になった旨の情報、大当り（確変中）になった旨の情報）、入金金額に関する情報、消費金額に関する情報等を外部に設置されたグループＡ管理サーバ１０に送信する。
【００６０】
なお、呼出器管理コンピュータ１４０は、情報表示装置１２０から情報を受信する都度、受信した情報をグループＡ管理サーバ１０に送信してもよい。また、呼出器管理コンピュータ１４０は、情報表示装置１２０から受信した情報を蓄積し、蓄積している情報を所定時刻（例えば、店舗毎に定めた所定期間内）にグループＡ管理サーバ１０に送信してもよい。呼出器管理コンピュータ１４０は、蓄積している情報を集計（例えば、遊技機１００毎に集計）してグループＡ管理サーバ１０に送信してもよい。
【００６１】
なお、グループＡ管理サーバ１０は、グループＡの加盟店の各店舗に設置される呼出器管理コンピュータ１４０や情報表示装置１２０を管理（メンテナンス等の保守も含む）してもよい。つまり、グループＡ管理サーバ１０が呼出器管理コンピュータ１４０や情報表示装置１２０を管理することには、グループＡ管理サーバ１０を設置（又は運用）する者（企業等）がグループＡ管理サーバ１０を用いて呼出器管理コンピュータ１４０や情報表示装置１２０の保守作業等を行うことも含まれる。また、グループＡ管理サーバ１０を設置（又は運用）する者がグループＡ管理サーバ１０を用いることなく呼出器管理コンピュータ１４０や情報表示装置１２０の保守作業を行うことも、グループＡ管理サーバ１０を設置（又は運用）する者を単にグループＡ管理サーバ１０と称して（グループＡ管理サーバ１０を設置（又は運用）する者による管理であることを以って）、グループＡ管理サーバ１０が呼出器管理コンピュータ１４０や情報表示装置１２０を管理するという場合があってもよい。
【００６２】
以下、グループＡ管理サーバ１０がグループＡの加盟店の各店舗（具体的には呼出器管理コンピュータ１４０）から受信（収集）する情報を「呼出器系情報」と称する場合がある。つまり、「呼出器系情報」には、大当りに関する情報（大当りになった旨の情報、大当り（初当）になった旨の情報、大当り（確変中）になった旨の情報）、入金金額に関する情報、消費金額に関する情報等が含まれる。
【００６３】
＜グループＡの加盟店の各店舗に設置される玉管理コンピュータ１５０の機能＞
玉管理コンピュータ１５０は、制御部、記憶部、通信部を備える（更に、操作部、表示部等を備えていてもよい）。例えば、玉管理コンピュータ１５０は、入金金額に関する情報、消費金額に関する情報をＣＵ１１０から受信する。また、玉管理コンピュータ１５０は、大当りに関する情報（大当りになった旨の情報）をＣＵ１１０から受信してもよい。玉管理コンピュータ１５０は、ＣＵ１１０から受信した情報を外部に送信してもよい。
【００６４】
＜グループＢの加盟店の各店舗の装置構成＞
図２に示すように、グループＢの加盟店の各店舗には、複数の遊技機（タイプ２）２００−１、…、遊技機（タイプ２）１００−Ｎが設置されている。以下、遊技機（タイプ２）２００−１、…、遊技機（タイプ２）２００−Ｎの個々を区別しない場合には、遊技機（タイプ２）２００（又は、単に遊技機２００）と総称する。なお、遊技機２００は、機種（型式）を問わない。つまり、遊技機２００には、複数の機種が存在してもよい。また、遊技機２００の設置台数は、店舗毎に異なっていてもよい。
【００６５】
また、グループＢの加盟店の各店舗には、複数の遊技機２００−１、…、遊技機２００−Ｎの夫々に対応する複数のＣＵ（タイプ２）２１０−１、…、ＣＵ（タイプ２）２１０−Ｎが設置されている。以下、ＣＵ（タイプ２）２１０−１、…、ＣＵ（タイプ２）２１０−Ｎの個々を区別しない場合には、ＣＵ（タイプ２）２１０（又は、単にＣＵ２１０）と総称する。なお、ＣＵ２１０は、機種（型式）を問わない。つまり、ＣＵ２１０には、複数の機種が存在してもよい。
【００６６】
また、グループＢの加盟店の各店舗には、複数の情報表示装置１２０（夫々の遊技機２００に対応する情報表示装置１２０）、ＨＣ１３０、呼出器管理コンピュータ１４０、玉管理コンピュータ（タイプ２）２５０が設置されている。以下、玉管理コンピュータ（タイプ２）２５０を単に玉管理コンピュータ２５０と称する場合がある。
【００６７】
＜グループＢの加盟店の各店舗に設置される遊技機２００の機能＞
遊技機２００は、比較的多数の情報をＣＵ２１０に送信する。例えば、遊技機２００は、大当りに関する情報として、大当り（複数種類の大当りを搭載している遊技機２００の場合には何れかの大当り）になった旨の情報、大当り（出玉大）になった旨の情報、大当り（出玉小）になった旨の情報、大当り（出玉中）になった旨の情報、大当り（初当）になった旨の情報、大当り（確変中）になった旨の情報をＣＵ２１０に送信する。また、遊技機２００は、入賞に関する情報として、遊技球が入賞口１（例えば、特図１に対応する入賞口等）を通過した旨の情報、遊技球が入賞口２（例えば、特図２に対応する入賞口等）を通過した旨の情報をＣＵ２１０に送信する。
【００６８】
つまり、グループＢの加盟店の各店舗に設置される遊技機２００がＣＵ２１０に送信する情報は、グループＡの加盟店の各店舗に設置される遊技機１００がＣＵ１１０に送信する情報よりも多い。例えば、上述した例では、グループＡの加盟店の各店舗に設置される遊技機１００は大当りに関する情報として大当りになった旨の情報をＣＵ１１０に送信するのに対し、グループＢの加盟店の各店舗に設置される遊技機２００は大当りに関する情報として大当りになった旨の情報に加えて、大当り（出玉大）になった旨の情報、大当り（出玉小）になった旨の情報、大当り（出玉中）になった旨の情報、大当り（初当）になった旨の情報、大当り（確変中）になった旨の情報をＣＵ２１０に送信する。また、グループＢの加盟店の各店舗に設置される遊技機２００は、更に、入賞に関する情報（遊技球が入賞口１を通過した旨の情報、遊技球が入賞口２を通過した旨の情報）をＣＵ２１０に送信する。
【００６９】
また、遊技機２００は、遊技機１００と同様、比較的少数の情報を呼出器１２０に送信する。例えば、遊技機２００は、大当りに関する情報として、大当りになった旨の情報を呼出器１２０に送信する。
【００７０】
また、遊技機２００は、遊技機１００と同様、比較的多数の情報をＨＣ１３０に送信する。例えば、遊技機２００は、大当りに関する情報として、大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報をＨＣ１３０に送信する。
【００７１】
従って、例えば、遊技機２００は、確変状態において出玉数が多い大当りになった場合には、大当りになった旨の情報を呼出器１２０に送信するとともに、大当りになった旨の情報と、大当り（確変中）になった旨の情報と、大当り（出玉大）になった旨の情報とをＣＵ２１０及びＨＣ１３０に送信する。また例えば、遊技機２００は、非確変状態において出玉数が少ない大当りになった場合には、大当りになった旨の情報を呼出器１２０に送信するとともに、大当りになった旨の情報と、大当り（初当）になった旨の情報と、大当り（出玉小）になった旨の情報とをＣＵ２１０及びＨＣ１３０に送信する。
【００７２】
また、遊技機２００は、遊技球が入賞口１に入賞した場合には、遊技球が入賞口１を通過した旨の情報を通過した旨の情報をＣＵ２１０に送信する。遊技球が入賞口２に入賞した場合には、遊技球が入賞口２を通過した旨の情報を通過した旨の情報をＣＵ２１０に送信する。
【００７３】
なお、遊技機２００は、複数の情報を１つの情報に纏めて送信してもよい。例えば、遊技機２００は、大当りになった旨の情報と、大当り（出玉大）になった旨の情報と、大当り（確変中）になった旨の情報とをＣＵ２１０及びＨＣ１３０に送信するのに代えて、大当りになった旨の情報と大当り（出玉大）になった旨の情報と大当り（確変中）になった旨の情報とを含む情報をＣＵ２１０及びＨＣ１３０に送信してもよいし、確変状態において出玉数が多い大当りになった旨の情報をＣＵ２１０及びＨＣ１３０に送信してもよい。
【００７４】
また、本実施形態では、いわゆる潜伏確変状態において大当りになった場合には、遊技機２００は、大当り（確変中）になった旨の情報をＣＵ２１０及びＨＣ１３０に送信するものとする。なお、潜伏確変状態において大当りになった場合に、遊技機２００は、大当り（確変中）になった旨の情報に代えて、大当り（初当）になった旨の情報をＣＵ２１０及びＨＣ１３０に送信してもよい。
【００７５】
また、本実施形態では、いわゆる時短状態において大当りになった場合には、遊技機２００は、大当り（初当）になった旨の情報をＣＵ２１０及びＨＣ１３０に送信するものとする。なお、時短状態において大当りになった場合に、遊技機２００は、大当り（初当）になった旨の情報に代えて、大当り（確変中）になった旨の情報をＣＵ２１０及びＨＣ１３０に送信してもよい。
【００７６】
また、本実施形態では、１種類の大当りしか搭載していない遊技機２００において大当りになった場合には、大当り（出玉大）になった旨の情報をＣＵ２１０及びＨＣ１３０に送信するものとする。なお、１種類の大当りしか搭載していない遊技機２００において大当りになった場合に、大当り（出玉大）になった旨の情報に代えて、大当り（出玉小）になった旨の情報か、大当り（出玉中）になった旨の情報をＣＵ２１０及びＨＣ１３０に送信してもよい。
【００７７】
＜グループＢの加盟店の各店舗に設置されるＣＵ２１０の機能＞
ＣＵ２１０は、制御部、記憶部、通信部、操作部、表示部、紙幣投入口、プリペイドカード挿入排出口を備える（更に、撮像部、近距離無線通信部等を備えていてもよい）。例えば、ＣＵ２１０は、大当りに関する情報として、大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報を遊技機２００から受信する。また、ＣＵ２１０は、入賞に関する情報として、遊技球が入賞口１を通過した旨の情報、遊技球が入賞口２を通過した旨の情報を遊技機２００から受信する。
【００７８】
ＣＵ２１０は、遊技機２００から受信した大当りに関する情報（大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報）を玉管理コンピュータ２５０に送信する。また、ＣＵ２１０は、遊技機２００から受信した入賞に関する情報（遊技球が入賞口１を通過した旨の情報、遊技球が入賞口２を通過した旨の情報）を玉管理コンピュータ２５０に送信する。
【００７９】
また、ＣＵ２１０は、プリペイドカードへの入金があった場合には、入金金額に関する情報を情報表示装置１２０や玉管理コンピュータ２５０に送信する。また、ＣＵ２１０は、プリペイドカードの金額が消費された場合には、消費金額に関する情報を情報表示装置１２０や玉管理コンピュータ２５０に送信する。
【００８０】
＜グループＢの加盟店の各店舗に設置される情報表示装置１２０の機能＞
情報表示装置１２０は、制御部、記憶部、通信部、操作部、表示部等を備える。例えば、情報表示装置１２０は、大当りに関する情報として、大当りになった旨の情報を遊技機２００から受信する。また、情報表示装置１２０は、入金金額に関する情報や消費金額に関する情報をＣＵ２１０から受信する。また、情報表示装置１２０は、大当りに関する情報として、大当り（初当）になった旨の情報や大当り（確変中）になった旨の情報をＨＣ１３０から受信する。
【００８１】
情報表示装置１２０は、遊技機２００から受信した大当りに関する情報（大当りになった旨の情報）を呼出器管理コンピュータ１４０に送信する。また、情報表示装置１２０は、ＨＣ１３０から受信した大当りに関する情報（大当り（初当）になった旨の情報、大当り（確変中）になった旨の情報）を呼出器管理コンピュータ１４０に送信する。また、情報表示装置１２０は、ＣＵ２１０から受信した入金金額に関する情報や消費金額に関する情報を呼出器管理コンピュータ１４０に送信する。
【００８２】
＜グループＢの加盟店の各店舗に設置されるＨＣ１３０の機能＞
ＨＣ１３０は、制御部、記憶部、通信部を備える（更に、操作部、表示部等を備えていてもよい）。例えば、ＨＣ１３０は、大当りに関する情報として、大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報を遊技機２００から受信する。ＨＣ１３０は、遊技機２００から受信した情報を外部に送信してもよい。
【００８３】
また、ＨＣ１３０は、一部の大当りに関する情報（大当り（初当）になった旨の情報、大当り（確変中）になった旨の情報）を情報表示装置１２０に送信する。
【００８４】
＜グループＢの加盟店の各店舗に設置される呼出器管理コンピュータ１４０の機能＞
呼出器管理コンピュータ１４０は、制御部、記憶部、通信部を備える（更に、操作部、表示部等を備えていてもよい）。例えば、呼出器管理コンピュータ１４０は、大当りに関する情報として、大当りになった旨の情報、大当り（初当）になった旨の情報、大当り（確変中）になった旨の情報を情報表示装置１２０から受信する。また、呼出器管理コンピュータ１４０は、入金金額に関する情報や消費金額に関する情報を情報表示装置１２０から受信する。呼出器管理コンピュータ１４０は、情報表示装置１２０から受信した情報を外部に送信してもよい。
【００８５】
＜グループＢの加盟店の各店舗に設置される玉管理コンピュータ２５０の機能＞
玉管理コンピュータ２５０は、制御部、記憶部、通信部を備える（更に、操作部、表示部等を備えていてもよい）。例えば、玉管理コンピュータ２５０は、大当りに関する情報（大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報）をＣＵ２１０から受信する。また、玉管理コンピュータ２５０は、入賞に関する情報（遊技球が入賞口１を通過した旨の情報、遊技球が入賞口２を通過した旨の情報）をＣＵ２１０から受信する。また、玉管理コンピュータ２５０は、入金金額に関する情報、消費金額に関する情報をＣＵ２１０から受信する。
【００８６】
玉管理コンピュータ２５０は、ＣＵ２１０から受信した大当りに関する情報（大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報）、入賞に関する情報（遊技球が入賞口１を通過した旨の情報、遊技球が入賞口２を通過した旨の情報）、入金金額に関する情報、消費金額に関する情報等を外部に設置されたグループＢ管理サーバ２０に送信する。
【００８７】
なお、玉管理コンピュータ２５０は、ＣＵ２１０から情報を受信する都度、受信した情報をグループＢ管理サーバ２０に送信してもよい。また、玉管理コンピュータ２５０は、ＣＵ２１０から受信した情報を蓄積し、蓄積している情報を所定時刻（例えば、店舗毎に定めた所定期間内）にグループＢ管理サーバ２０に送信してもよい。玉管理コンピュータ２５０は、蓄積している情報を集計（例えば、遊技機２００毎に集計）してグループＢ管理サーバ２０に送信してもよい。
【００８８】
また、グループＢ管理サーバ２０は、グループＢの加盟店の各店舗に設置される玉管理コンピュータ２５０やＣＵ２１０を管理（メンテナンス等の保守も含む）してもよい。つまり、グループＢ管理サーバ２０が玉管理コンピュータ２５０やＣＵ２１０を管理することには、グループＢ管理サーバ２０を設置（又は運用）する者（企業等）がグループＢ管理サーバ２０を用いて玉管理コンピュータ２５０やＣＵ２１０の保守作業等を行うことも含まれる。また、グループＢ管理サーバ２０を設置（又は運用）する者がグループＢ管理サーバ２０を用いることなく玉管理コンピュータ２５０やＣＵ２１０の保守作業を行うことも、グループＢ管理サーバ２０を設置（又は運用）する者を単にグループＢ管理サーバ２０と称して（グループＢ管理サーバ２０を設置（又は運用）する者による管理であることを以って）、グループＢ管理サーバ２０が玉管理コンピュータ２５０やＣＵ２１０を管理するという場合があってもよい。
【００８９】
以下、グループＢ管理サーバ２０がグループＢの加盟店の各店舗（具体的には玉管理コンピュータ２５０）から受信（収集）する情報を「ＣＵ系情報」と称する場合がある。つまり、「ＣＵ系情報」には、大当りに関する情報（大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報）、入賞に関する情報（遊技球が入賞口１を通過した旨の情報、遊技球が入賞口２を通過した旨の情報）、入金金額に関する情報、消費金額に関する情報等が含まれる。
【００９０】
＜グループＣの加盟店の各店舗の装置構成＞
図３に示すように、グループＣの加盟店の各店舗には、グループＡの加盟店の各店舗（図１参照）と同様、複数の遊技機１００と、複数のＣＵ１１０と、複数の情報表示装置１２０と、ＨＣ１３０と、呼出器管理コンピュータ１４０と、玉管理コンピュータ１５０とが設置されている。
【００９１】
＜グループＣの加盟店の各店舗に設置される各装置の機能＞
グループＣの加盟店の各店舗に設置される遊技機１００は、グループＡの加盟店の各店舗に設置される遊技機１００と同一であってもよい。グループＣの加盟店の各店舗に設置されるＣＵ１１０の機能は、グループＡの加盟店の各店舗に設置されるＣＵ１１０の機能と同一であってもよい。グループＣの加盟店の各店舗に設置される情報表示装置１２０の機能は、グループＡの加盟店の各店舗に設置される情報表示装置１２０の機能と同一であってもよい。
【００９２】
グループＣの加盟店の各店舗に設置されるＨＣ１３０は、遊技機１００から受信した情報（大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報等）を外部に設置されたグループＣ管理サーバ３０に送信する。つまり、グループＡの加盟店の各店舗に設置されるＨＣ１３０とグループＣの加盟店の各店舗に設置されるＨＣ１３０とでは、グループＡの加盟店の各店舗に設置されるＨＣ１３０の場合には、遊技機１００から受信した情報を外部に送信してもよいし送信しなくてもよいのに対し、グループＣの加盟店の各店舗に設置されるＨＣ１３０の場合には、遊技機１００から受信した情報を外部に設置されたグループＣ管理サーバ３０に出力する点等が異なる。
【００９３】
なお、ＨＣ１３０は、遊技機１００から情報を受信する都度、受信した情報をグループＣ管理サーバ３０に送信してもよい。また、ＨＣ１３０は、遊技機１００から受信した情報を蓄積し、蓄積している情報を所定時刻（例えば、店舗毎に定めた所定期間内）にグループＣ管理サーバ３０に送信してもよい。ＨＣ１３０、蓄積している情報を集計（例えば、遊技機１００毎に集計）してグループＣ管理サーバ３０に送信してもよい。
【００９４】
なお、グループＣ管理サーバ３０は、グループＣの加盟店の各店舗に設置されるＨＣ１３０を管理（メンテナンス等の保守も含む）してもよい。つまり、グループＣ管理サーバ３０がＨＣ１３０を管理することには、グループＣ管理サーバ３０を設置（又は運用）する者（企業等）がグループＣ管理サーバ３０を用いてＨＣ１３０の保守作業等を行うことも含まれる。また、グループＣ管理サーバ３０を設置（又は運用）する者がグループＣ管理サーバ３０を用いることなくＨＣ１３０の保守作業を行うことも、グループＣ管理サーバ３０を設置（又は運用）する者を単にグループＣ管理サーバ３０と称して（グループＣ管理サーバ３０を設置（又は運用）する者による管理であることを以って）、グループＣ管理サーバ３０がＨＣ１３０を管理するという場合があってもよい。
【００９５】
以下、グループＣ管理サーバ３０がグループＣの加盟店の各店舗（具体的にはＨＣ１３０）から受信（収集）する情報を「ＨＣ系情報」と称する場合がある。つまり、「ＨＣ系情報」には、大当りに関する情報（大当りになった旨の情報、大当り（出玉大）になった旨の情報、大当り（出玉小）になった旨の情報、大当り（出玉中）になった旨の情報、大当り（初当）になった旨の情報、大当り（確変中）になった旨の情報等）等が含まれる。
【００９６】
グループＣの加盟店の各店舗に設置される呼出器管理コンピュータ１４０は、情報表示装置１２０から受信した情報を外部に送信してもよいし送信しなくてもよい。つまり、グループＡの加盟店の各店舗に設置される呼出器管理コンピュータ１４０とグループＣの加盟店の各店舗に設置される呼出器管理コンピュータ１４０とでは、グループＡの加盟店の各店舗に設置される呼出器管理コンピュータ１４０の場合には、情報表示装置１２０から受信した情報を外部に設置されたグループＡ管理サーバ１０に送信するのに対し、グループＣの加盟店の各店舗に設置される呼出器管理コンピュータ１４０の場合には、情報表示装置１２０から受信した情報を外部に送信してもよいし送信しなくてもよい点等が異なる。
【００９７】
グループＣの加盟店の各店舗に設置される玉管理コンピュータ１５０の機能は、グループＡの加盟店の各店舗に設置される玉管理コンピュータ１５０の機能と同一であってもよい。
【００９８】
図４は、ＣＵ系情報、呼出器系情報、ＨＣ系情報の夫々の項目の一例である。具体的には、図４に示した表は、ある１台の遊技機２００に関するＣＵ系情報（１件のＣＵ系情報）、ある１台の遊技機１００に関する呼出器系情報（１件の呼出器系情報）、ある１台の遊技機１００に関するＨＣ系情報（１件のＨＣ系情報）の夫々について、夫々が有するデータ項目を比較するためのものである。表中において、「〇」はデータ項目がある旨を示し、「×」はデータ項目がない旨を示している。なお、表中のデータ項目は、例示である。つまり、ＣＵ系情報（呼出器系情報、ＨＣ系情報も同様）は、表中に「〇」にて示したデータ項目以外のデータ項目を有していてもよい。以下、図４に例示した各データ項目について説明する。
【００９９】
＜基礎情報＞
「店舗コード」は、遊技店を一意に識別する識別情報である。「台コード」は、遊技機１００（又は遊技機２００）を一意に識別する識別情報である。「遊技台の型式コード」は、当該遊技機１００（又は遊技機２００）の機種（型式）を識別する識別情報である。「遊技台のメーカコード」は、当該遊技機１００（又は遊技機２００）の製造メーカ（若しくは販社）を識別する識別情報である。上記各情報は、基礎的な情報であるため、便宜上、基礎情報と称する場合がある。
【０１００】
ＣＵ系情報は、店舗コード、台コード、遊技台の型式コード、遊技台のメーカコードを含む。店舗コードは、例えば、玉管理コンピュータ２５０が店舗コードを保持することにより、ＣＵ系情報に含まれるようになる。台コードは、例えば、遊技機２００が台コードを保持し、遊技機２００からＣＵ２１０に送信された台コードが、玉管理コンピュータ２５０に送信されることにより、ＣＵ系情報に含まれるようになる。遊技台の型式コードは、例えば、遊技機２００が遊技台の型式コードを保持し、遊技機２００からＣＵ２１０に送信された遊技台の型式コードが、玉管理コンピュータ２５０に送信されることにより、ＣＵ系情報に含まれるようになる。あるいは、玉管理コンピュータ２５０（又はＣＵ２１０）が台コードと遊技台の型式コードの対応情報を保持し、遊技機２００から送信される台コードから遊技台の型式コードを特定することにより、遊技台の型式コードがＣＵ系情報に含まれるようにしてもよい。遊技台のメーカコードは、例えば、遊技機２００が遊技台のメーカコードを保持し、遊技機２００からＣＵ２１０に送信された遊技台のメーカコードが、玉管理コンピュータ２５０に送信されることにより、ＣＵ系情報に含まれるようになる。あるいは、玉管理コンピュータ２５０（又はＣＵ２１０）が台コードと遊技台のメーカコードの対応情報を保持し、遊技機２００から送信される台コードから遊技台のメーカコードを特定することにより、遊技台のメーカコードがＣＵ系情報に含まれるようにしてもよい。
【０１０１】
呼出器系情報は、店舗コード、台コード、遊技台の型式コード、遊技台のメーカコードを含む。店舗コードは、例えば、呼出器管理コンピュータ１４０が店舗コードを保持することにより、呼出器系情報に含まれるようになる。台コードは、例えば、遊技機１００が台コードを保持し、遊技機１００から情報表示装置１２０に送信された台コードが、呼出器管理コンピュータ１４０に送信されることにより、呼出器系情報に含まれるようになる。遊技台の型式コードは、例えば、遊技機１００が遊技台の型式コードを保持し、遊技機１００から情報表示装置１２０に送信された遊技台の型式コードが、呼出器管理コンピュータ１４０に送信されることにより、呼出器系情報に含まれるようになる。あるいは、呼出器管理コンピュータ１４０（又は情報表示装置１２０）が台コードと遊技台の型式コードの対応情報を保持し、遊技機１００から送信される台コードから遊技台の型式コードを特定することにより、遊技台の型式コードが呼出器系情報に含まれるようにしてもよい。遊技台のメーカコードは、例えば、遊技機１００が遊技台のメーカコードを保持し、遊技機１００から情報表示装置１２０に送信された遊技台のメーカコードが、呼出器管理コンピュータ１４０に送信されることにより、呼出器系情報に含まれるようになる。あるいは、呼出器管理コンピュータ１４０（又は情報表示装置１２０）が台コードと遊技台のメーカコードの対応情報を保持し、遊技機１００から送信される台コードから遊技台のメーカコードを特定することにより、遊技台のメーカコードが呼出器系情報に含まれるようにしてもよい。
【０１０２】
ＨＣ系情報は、店舗コード、台コード、遊技台の型式コード、遊技台のメーカコードを含む。店舗コードは、例えば、ＨＣ１３０が店舗コードを保持することにより、ＨＣ系情報に含まれるようになる。台コードは、例えば、遊技機１００が台コードを保持し、遊技機１００からＨＣ１３０に送信されることにより、ＨＣ系情報に含まれるようになる。遊技台の型式コードは、例えば、遊技機１００が遊技台の型式コードを保持し、遊技機１００からＨＣ１３０に送信されることにより、ＨＣ系情報に含まれるようになる。あるいは、ＨＣ１３０が台コードと遊技台の型式コードの対応情報を保持し、遊技機１００から送信される台コードから遊技台の型式コードを特定することにより、遊技台の型式コードがＨＣ系情報に含まれるようにしてもよい。遊技台のメーカコードは、例えば、遊技機１００が遊技台のメーカコードを保持し、遊技機１００からＨＣ１３０に送信されることにより、ＨＣ系情報に含まれるようになる。あるいは、ＨＣ１３０が台コードと遊技台のメーカコードの対応情報を保持し、遊技機１００から送信される台コードから遊技台のメーカコードを特定することにより、遊技台のメーカコードがＨＣ系情報に含まれるようにしてもよい。
【０１０３】
＜集計情報＞
「大当りの総回数」は、集計期間中（例えば１営業日。以下同様）における当該遊技機１００（又は遊技機２００）にて発生した大当り（全部）の総回数である。「大当り（出玉大）の総回数」は、集計期間中に、当該遊技機１００（又は遊技機２００）において発生した出玉数が多い大当りの総回数である。「大当り（出玉小）の総回数」は、集計期間中に、当該遊技機１００（又は遊技機２００）において発生した出玉数が少ない大当りの総回数である。「大当り（出玉中）の総回数」は、集計期間中に、当該遊技機１００（又は遊技機２００）において発生した出玉数が中程度の大当りの総回数である。「大当り（初当）の総回数」は、集計期間中に、当該遊技機１００（又は遊技機２００）において遊技状態が非確変状態であるときに発生した大当りの総回数である。「大当り（確変中）の総回数」は、集計期間中に、当該遊技機１００（又は遊技機２００）において遊技状態が確変状態であるときに発生した大当りの総回数である。「当日累積プリペイド入金金額」は、集計期間中における、当該遊技機１００（又は遊技機２００）に対応するＣＵ１１０（又はＣＵ２１０）への入金金額である。「当日累積プリペイド消費金額」は、集計期間中における、当該遊技機１００（又は遊技機２００）に対応するＣＵ１１０（又はＣＵ２１０）での消費金額である。「入賞口１の通過累積玉数」は、集計期間中に、当該遊技機２００において遊技球が入賞口１を通過した累積の玉数である。「入賞口２の通過累積玉数」は、集計期間中に、当該遊技機２００において遊技球が入賞口２を通過した累積の玉数である。上記各情報は、集計した情報であるため、便宜上、集計情報と称する場合がある。なお、図１〜図３にて例示した各情報は、当該集計情報に関する情報である。
【０１０４】
ＣＵ系情報は、大当りの総回数、大当り（出玉大）の総回数、大当り（出玉小）の総回数、大当り（出玉中）の総回数、大当り（初当）の総回数、大当り（確変中）の総回数、当日累積プリペイド入金金額、当日累積プリペイド消費金額、入賞口１の通過累積玉数、入賞口２の通過累積玉数を含む。
【０１０５】
大当りの総回数は、遊技機２００からＣＵ２１０に送信された大当りになった旨の情報が、玉管理コンピュータ２５０に送信されることにより、ＣＵ系情報に含まれるようになる。大当り（出玉大）の総回数は、遊技機２００からＣＵ２１０に送信された大当り（出玉大）になった旨の情報が、玉管理コンピュータ２５０に送信されることにより、ＣＵ系情報に含まれるようになる。大当り（出玉小）の総回数は、遊技機２００からＣＵ２１０に送信された大当り（出玉小）になった旨の情報が、玉管理コンピュータ２５０に送信されることにより、ＣＵ系情報に含まれるようになる。大当り（出玉中）の総回数は、遊技機２００からＣＵ２１０に送信された大当り（出玉中）になった旨の情報が、玉管理コンピュータ２５０に送信されることにより、ＣＵ系情報に含まれるようになる。大当り（初当）の総回数は、遊技機２００からＣＵ２１０に送信された大当り（初当）になった旨の情報が、玉管理コンピュータ２５０に送信されることにより、ＣＵ系情報に含まれるようになる。大当り（確変中）の総回数は、遊技機２００からＣＵ２１０に送信された大当り（確変中）になった旨の情報が、玉管理コンピュータ２５０に送信されることにより、ＣＵ系情報に含まれるようになる。当日累積プリペイド入金金額は、入金金額に関する情報がＣＵ２１０から玉管理コンピュータ２５０に送信されることにより、ＣＵ系情報に含まれるようになる。当日累積プリペイド消費金額は、消費金額に関する情報がＣＵ２１０から玉管理コンピュータ２５０に送信されることにより、ＣＵ系情報に含まれるようになる。入賞口１の通過累積玉数は、遊技機２００からＣＵ２１０に送信された入賞口１を通過した旨の情報が、ＣＵ２１０から呼出器管理コンピュータ１４０に送信されることにより、ＣＵ系情報に含まれるようになる。入賞口２の通過累積玉数は、遊技機２００からＣＵ２１０に送信された入賞口２を通過した旨の情報が、ＣＵ２１０から呼出器管理コンピュータ１４０に送信されることにより、ＣＵ系情報に含まれるようになる。
【０１０６】
呼出器系情報は、大当りの総回数、大当り（初当）の総回数、大当り（確変中）の総回数、当日累積プリペイド入金金額、当日累積プリペイド消費金額を含む。
【０１０７】
大当りの総回数は、遊技機１００から情報表示装置１２０に送信された大当りになった旨の情報が、情報表示装置１２０から呼出器管理コンピュータ１４０に送信されることにより、呼出器系情報に含まれるようになる。大当り（初当）の総回数は、遊技機１００からＨＣ１３０に送信された大当り（初当）になった旨の情報が、ＨＣ１３０から情報表示装置１２０に送信され、情報表示装置１２０から呼出器管理コンピュータ１４０に送信されることにより、呼出器系情報に含まれるようになる。大当り（確変中）の総回数は、遊技機１００からＨＣ１３０に送信された大当り（確変中）になった旨の情報が、ＨＣ１３０から情報表示装置１２０に送信され、情報表示装置１２０から呼出器管理コンピュータ１４０に送信されることにより、呼出器系情報に含まれるようになる。当日累積プリペイド入金金額は、ＣＵ１１０から情報表示装置１２０に送信された入金金額に関する情報が、情報表示装置１２０から呼出器管理コンピュータ１４０に送信されることにより、呼出器系情報に含まれるようになる。当日累積プリペイド消費金額は、ＣＵ１１０から情報表示装置１２０に送信された消費金額に関する情報が、情報表示装置１２０から呼出器管理コンピュータ１４０に送信されることにより、呼出器系情報に含まれるようになる。
【０１０８】
ＨＣ系情報は、大当りの総回数、大当り（出玉大）の総回数、大当り（出玉小）の総回数、大当り（出玉中）の総回数、大当り（初当）の総回数、大当り（確変中）の総回数を含む。
【０１０９】
大当りの総回数は、大当りになった旨の情報が遊技機１００からＨＣ１３０に送信されることにより、ＨＣ系情報に含まれるようになる。大当り（出玉大）の総回数は、大当り（出玉大）になった旨の情報が遊技機１００からＨＣ１３０に送信されることにより、ＨＣ系情報に含まれるようになる。大当り（出玉小）の総回数は、大当り（出玉小）になった旨の情報が遊技機１００からＨＣ１３０に送信されることにより、ＨＣ系情報に含まれるようになる。大当り（出玉中）の総回数は、大当り（出玉中）になった旨の情報が遊技機１００からＨＣ１３０に送信されることにより、ＨＣ系情報に含まれるようになる。大当り（初当）の総回数は、大当り（初当）になった旨の情報が遊技機１００からＨＣ１３０に送信されることにより、ＨＣ系情報に含まれるようになる。大当り（確変中）の総回数は、大当り（確変中）になった旨の情報が遊技機１００からＨＣ１３０に送信されることにより、ＨＣ系情報に含まれるようになる。
【０１１０】
＜イベント発生情報＞
「媒体挿入／排出」は、ＣＵ２１０（又はＣＵ１１０）においてプリペイドカード挿入排出口におけるプリペイドカードの挿入／排出があった旨を示す情報である。例えば、プリペイドカードの挿入時刻やプリペイドカードの排出時刻を示す情報などであってもよい。「入金／消費」は、ＣＵ２１０（又はＣＵ１１０）においてプリペイドカードへの入金／プリペイドカードの金額の消費があった旨を示す情報である。例えば、紙幣投入口への紙幣の投入時刻や玉貸しの操作の操作時刻を示す情報などであってもよい。「景品交換」は、ＣＵ２１０の操作部の操作（又は近距離無線通信部の通信）を介して景品との交換行為があった旨を示す情報である。例えば、景品交換時刻を示す情報であってもよい。「コンテンツ視聴」は、ＣＵ２１０の操作部の操作（又は近距離無線通信部の通信）を介しコンテンツ再生に関する行為があった旨を示す情報である。例えば、コンテンツ視聴開始時刻、コンテンツ切換時刻、コンテンツ視聴終了時刻を示す情報であってもよい。上記各情報は、イベントの発生を報知する情報であるため、便宜上、イベント発生情報と称する場合がある。
【０１１１】
なお、イベント発生情報は、他の情報（例えば、後述するイベント発生時取得情報）と組み合わせて用いられるものであってもよいし、単独で用いられるものであってもよい。例えば、ある時刻にプリペイドカードが挿入された場合に、当該プリペイドカードの挿入時刻と当該プリペイドカードの残高とをＣＵ系情報に含めるようにしてもよいし、当該プリペイドカードの挿入時刻をＣＵ系情報に含めるが、当該プリペイドカードの残高はＣＵ系情報等に含めないようにしてもよい。また、例えば、ある時刻に景品交換が行われた場合に、景品交換時刻と持玉残高と景品コードとをＣＵ系情報に含めるようにしてもよいし、景品交換時刻をＣＵ系情報に含めるが、持玉残高と景品コードはＣＵ系情報に含めないようにしてもよい。
【０１１２】
ＣＵ系情報は、媒体挿入／排出、入金／消費、景品交換、コンテンツ視聴を含む。媒体挿入／排出は、例えば、プリペイドカードの挿入時刻（又は、排出時刻）を示す情報が、ＣＵ２１０から玉管理コンピュータ２５０に送信されることにより、ＣＵ系情報に含まれるようになる。入金／消費は、例えば、紙幣の投入時刻（又は、玉貸しの操作の操作時刻）を示す情報が、ＣＵ２１０から玉管理コンピュータ２５０に送信されることにより、ＣＵ系情報に含まれるようになる。景品交換は、例えば、景品交換時刻を示す情報が、ＣＵ２１０から玉管理コンピュータ２５０に送信されることにより、ＣＵ系情報に含まれるようになる。コンテンツ視聴は、例えば、コンテンツ視聴開始時刻（又は、コンテンツ切換時刻、又は、コンテンツ視聴終了時刻）を示す情報が、ＣＵ２１０から玉管理コンピュータ２５０に送信されることにより、ＣＵ系情報に含まれるようになる。
【０１１３】
呼出器系情報は、媒体挿入／排出、入金／消費を含む。媒体挿入／排出は、例えば、プリペイドカードの挿入時刻（又は、排出時刻）を示す情報が、ＣＵ１１０から情報表示装置１２０に送信され、情報表示装置１２０から呼出器管理コンピュータ１４０に送信されることにより、呼出器系情報に含まれるようになる。入金／消費は、例えば、紙幣の投入時刻（又は、玉貸しの操作の操作時刻）を示す情報が、ＣＵ１１０から情報表示装置１２０に送信され、情報表示装置１２０から呼出器管理コンピュータ１４０に送信されることにより、呼出器系情報に含まれるようになる。なお、本実施形態では、ＣＵ１１０は、景品交換時刻、コンテンツ視聴開始時刻（又は、コンテンツ切換時刻、又は、コンテンツ視聴終了時刻）を示す情報を情報表示装置１２０に送信しないようにしているため、呼出器系情報は、景品交換やコンテンツ視聴を含まない。
【０１１４】
なお、ＣＵ１１０から送信される情報は、ＨＣ１３０にて受信されないため、ＨＣ系情報は、媒体挿入／排出、入金／消費、景品交換、コンテンツ視聴の何れも含まない。
【０１１５】
＜詳細通知情報＞
「遊技許可中／遊技禁止中」は、遊技機２００から通知される遊技状態情報であって、遊技許可中であるか遊技禁止中であるかを示す情報である。「待機中／遊技中」は、遊技機２００から通知される遊技状態情報であって、遊技待機中であるか遊技許可中であるかを示す情報である。「大当り中」は、遊技機２００から通知される遊技状態情報であって、大当り遊技状態中である旨を示す情報である。「出玉大の大当り中」は、遊技機２００から通知される遊技状態情報であって、出玉数が多い大当り遊技状態中である旨を示す情報である。「出玉小の大当り中」は、遊技機２００から通知される遊技状態情報であって、出玉数が少ない大当り遊技状態中である旨を示す情報である。「出玉中の大当り中」は、遊技機２００から通知される遊技状態情報であって、出玉数が中程度の大当り遊技状態中である旨を示す情報である。上記各情報は、遊技機２００から通知される詳細な情報であるため、便宜上、詳細通知情報と称する場合がある。
【０１１６】
ＣＵ系情報は、遊技許可中／遊技禁止中、待機中／遊技中、大当り中、出玉大の大当り中、出玉小の大当り中、出玉中の大当り中を含む。例えば、遊技機２００において遊技の許可や遊技の禁止に関する設定がなされた場合に当該遊技機２００が設定情報をＣＵ２１０に送信し、遊技機２００からＣＵ２１０に送信された設定情報が、玉管理コンピュータ２５０に送信されることにより、遊技許可中／遊技禁止中がＣＵ系情報に含まれるようになる。また、遊技機２００が遊技中であるか否かを判定し（例えば、打球操作ハンドル（操作ノブ）に遊技者の手が接触しているか否かを検出することにより、遊技中であるか否かを判定し）、当該遊技機２００が判定結果に応じた情報をＣＵ２１０に送信し、遊技機２００からＣＵ２１０に送信された判定結果に応じた情報が、玉管理コンピュータ２５０に送信されることにより、待機中／遊技中がＣＵ系情報に含まれるようになる。また、遊技機２００が、適宜（例えば、所定時間が経過する都度、又は、上述のイベント（例えば、「景品交換」等）が発生する都度）、現在の遊技状態を示す情報をＣＵ２１０に送信し、遊技機２００からＣＵ２１０に送信された現在の遊技状態を示す情報が、玉管理コンピュータ２５０に送信されることにより、大当り中、大当り中、出玉大の大当り中、出玉小の大当り中、出玉中の大当り中がＣＵ系情報に含まれるようになる。
【０１１７】
なお、遊技機１００は詳細通知情報（遊技許可中／遊技禁止中、待機中／遊技中、大当り中、出玉大の大当り中、出玉小の大当り中、出玉中の大当り中）を送信しないため、呼出器系情報（ＨＣ系情報も同様）は、詳細通知情報の何れも含まない。
【０１１８】
なお、遊技状態情報は、詳細通知情報の一例である。つまり、遊技機２００は、詳細通知情報として、遊技状態情報以外の情報をＣＵ２１０に送信してもよい。例えば、遊技機２００は、詳細通知情報として、異常検出情報（例えば、振動、電波等の異常検出情報）や、操作情報（例えば、音量、輝度等の設定操作情報、演出上の操作情報（ボタン押下等）等）や、演出等の実行情報（例えば、低出現頻度の演出の実行情報）をＣＵ２１０に送信してもよい。
【０１１９】
＜イベント発生時取得情報＞
「プリペイド残高」は、ＣＵ２１０に挿入されているプリペイドカードの残金額（使用可能金額）である。「持玉残高」は、ＣＵ２１０が管理（計数により増加させ、使用により減少させること等により管理）している持ち玉数である。「貯玉残高」は、玉管理コンピュータ１５０（又は玉管理コンピュータ２５０）が管理（貯玉計上により増加させ、使用により減少させること等により管理）している貯玉数である。「景品交換情報」は、景品交換の詳細情報（玉数、交換率、景品コード等）である。「顔認証情報」は、遊技者の顔認証結果（推定年齢、推定性別等）である。「コンテンツ情報」は、コンテンツに関する情報（コンテンツＩＤ等）である。上記各情報は、イベントの発生に取得される情報であるため、便宜上、イベント発生時取得情報と称する場合がある。
【０１２０】
ＣＵ系情報は、プリペイド残高、持玉残高、貯玉残高、景品交換情報、顔認証情報、コンテンツ情報を含む。プリペイド残高は、例えば、イベント発生時に、プリペイドカードの残金額を示す情報が、ＣＵ２１０から玉管理コンピュータ２５０に送信されることにより、ＣＵ系情報に含まれるようになる。持玉残高は、例えば、イベント発生時に、持ち玉数を示す情報が、ＣＵ２１０から玉管理コンピュータ２５０に送信されることにより、ＣＵ系情報に含まれるようになる。景品交換情報は、例えば、イベント発生時（具体的には景品交換時）に、景品交換の詳細情報が、ＣＵ２１０から玉管理コンピュータ２５０に送信されることにより、ＣＵ系情報に含まれるようになる。顔認証情報は、例えば、イベント発生時に、遊技者の顔認証結果が、ＣＵ２１０から玉管理コンピュータ２５０に送信されることにより、ＣＵ系情報に含まれるようになる。コンテンツ情報は、例えば、イベント発生時に、遊技者の顔認証結果が、ＣＵ２１０から玉管理コンピュータ２５０に送信されることにより、ＣＵ系情報に含まれるようになる。なお、貯玉残高については、例えば、イベント発生時に、玉管理コンピュータ２５０がＣＵ系情報に含めればよい。
【０１２１】
呼出器系情報は、顔認証情報を含む。顔認証情報は、例えば、イベント発生時に、遊技者の顔認証結果が、ＣＵ１１０から情報表示装置１２０に送信され、情報表示装置１２０から呼出器管理コンピュータ１４０に送信されることにより、呼出器系情報に含まれるようになる。なお、本実施形態では、プリペイド残高、持玉残高、貯玉残高、景品交換情報、コンテンツ情報については、ＣＵ１１０から情報表示装置１２０に送信しないようにしているため、呼出器系情報は、プリペイド残高、持玉残高、貯玉残高、景品交換情報、コンテンツ情報を含まない。
【０１２２】
また、ＣＵ１１０から送信される情報は、ＨＣ１３０にて受信されないため、ＨＣ系情報は、プリペイド残高、持玉残高、貯玉残高、景品交換情報、顔認証情報、コンテンツ情報の何れも含まない。
【０１２３】
図５は、管理サーバ間の連携等の一態様を説明するための概略図である。図５において、「￥」無しの矢印（矢印ａ〜矢印ｈ）は、情報の流れを模式的に示している。図５において「￥」有りの矢印（矢印Ｍ１〜矢印Ｍ６）は、金の流れを模式的に示している。
【０１２４】
＜情報の流れ＞
図５に示すように、グループＡ管理サーバ１０は、グループＡの加盟店である各店舗（具体的には呼出器管理コンピュータ１４０）から呼出器系情報を受信し（矢印ａ）、記憶する。また、グループＡ管理サーバ１０は、呼出器系情報をグループＢ管理サーバ２０に送信する（矢印ａ）。
【０１２５】
グループＢ管理サーバ２０は、グループＢの加盟店である各店舗（具体的には玉管理コンピュータ２５０）からＣＵ系情報を受信し（矢印ｂ）、記憶する。
【０１２６】
グループＣ管理サーバ３０は、グループＣの加盟店である各店舗（具体的にはＨＣ１３０）からＨＣ系情報を受信し（矢印ｃ）、記憶する。また、グループＣ管理サーバ３０は、ＨＣ系情報をグループＢ管理サーバ２０に送信する（矢印ｃ）。
【０１２７】
グループＢ管理サーバ２０は、グループＡ管理サーバ１０から呼出器系情報を受信し（矢印ａ）、記憶する。また、グループＢ管理サーバ２０は、グループＣ管理サーバ３０からＨＣ系情報を受信し（矢印ｃ）、記憶する。
【０１２８】
グループＢ管理サーバ２０は、ＣＵ系情報を元にグループＡ向け変換情報（後述）を生成し、グループＡ管理サーバ１０に送信する（矢印ｄ）。また、グループＢ管理サーバ２０は、ＣＵ系情報を元にグループＡ向けオプション情報（後述）を生成し、グループＡ管理サーバ１０に送信してもよい（矢印ｇ）。
【０１２９】
グループＢ管理サーバ２０は、ＣＵ系情報を元にグループＣ向け変換情報（後述）を生成し、グループＣ管理サーバ３０に送信する（矢印ｅ）。また、グループＢ管理サーバ２０は、ＣＵ系情報を元にグループＣ向けオプション情報（後述）を生成し、グループＣ管理サーバ３０に送信してもよい（矢印ｈ）。
【０１３０】
グループＢ管理サーバ２０は、ＣＵ系情報、呼出器系情報、ＨＣ系情報を元に合成情報（後述）を生成し、グループＢの加盟店である各店舗（具体的には玉管理コンピュータ２５０）や、遊技機メーカ（具体的には遊技機メーカ側のコンピュータ）、異業種等（具体的には異業種等側のコンピュータ）に送信してもよい（矢印ｆ）。
【０１３１】
グループＡ管理サーバ１０は、グループＢ管理サーバ２０からグループＡ向け変換情報を受信し（矢印ｄ）、記憶する。また、グループＢ管理サーバ２０がグループＡ向けオプション情報を送信した場合には、グループＡ管理サーバ１０は、グループＡ向けオプション情報を受信し（矢印ｇ）、記憶する。
【０１３２】
グループＣ管理サーバ３０は、グループＢ管理サーバ２０からグループＣ向け変換情報を受信し（矢印ｅ）、記憶する。また、グループＢ管理サーバ２０がグループＣ向けオプション情報を送信した場合には、グループＣ管理サーバ３０は、グループＣ向けオプション情報を受信し（矢印ｈ）、記憶する。
【０１３３】
＜金の流れ＞
グループＡ管理サーバ１０側（グループＡ管理サーバ１０の管理主体等）は、グループＡの夫々の加盟店から受信した呼出器系情報に応じた金額を夫々の加盟店に支払う（矢印Ｍ１）。
【０１３４】
グループＢの夫々の加盟店は、グループＢ管理サーバ２０から受信した合成情報に応じた金額とグループＢ管理サーバ２０に送信したＣＵ系情報に応じた金額との差分金額を、グループＢ管理サーバ２０側（グループＢ管理サーバ２０の管理主体等）に支払う（矢印Ｍ２）。なお、図５では、合成情報に応じた金額がＣＵ系情報に応じた金額よりも高いことを想定しているが、安い場合には金の流れ（矢印の方向）が逆になる。
【０１３５】
グループＣ管理サーバ３０側（グループＣ管理サーバ３０の管理主体等）は、グループＣの夫々の加盟店から受信したＨＣ系情報に応じた金額を夫々の加盟店に支払う（矢印Ｍ３）。
【０１３６】
グループＡ管理サーバ１０側は、グループＢ管理サーバ２０から受信した変換情報やオプション情報に応じた金額とグループＢ管理サーバ２０に送信した呼出器系情報に応じた金額との差分金額を、グループＢ管理サーバ２０側に支払う（矢印Ｍ４）。なお、図５では、変換情報やオプション情報に応じた金額が呼出器系情報に応じた金額よりも高いことを想定しているが、安い場合には金の流れ（矢印の方向）が逆になる。
【０１３７】
グループＣ管理サーバ３０側は、グループＢ管理サーバ２０から受信した変換情報やオプション情報に応じた金額とグループＢ管理サーバ２０に送信したＨＣ系情報に応じた金額との差分金額を、グループＢ管理サーバ２０側に支払う（矢印Ｍ５）。なお、図５では、変換情報やオプション情報に応じた金額がＨＣ系情報に応じた金額よりも高いことを想定しているが、安い場合には金の流れ（矢印の方向）が逆になる。
【０１３８】
遊技機メーカ、異業種等側は、グループＢ管理サーバ２０から受信した合成情報に応じた金額を、グループＢ管理サーバ２０側に支払う（矢印Ｍ６）。
【０１３９】
図６は、管理サーバの動作の一例を示すフローチャートである。図６の左側はグループＡ管理サーバ１０の動作を示し、中央はグループＢ管理サーバ２０の動作を示し、右側はグループＣ管理サーバ３０の動作を示している。図６のフローチャートの開始時において、グループＡ管理サーバ１０は呼出器系情報を保持（記憶）し、グループＢ管理サーバ２０はＣＵ系情報を保持し、グループＣ管理サーバ３０は、ＨＣ系情報を保持しているものとする。
【０１４０】
図６において、グループＡ管理サーバ１０は、呼出器系情報をグループＢ管理サーバ２０に送信する（ステップＳａ１０）。グループＢ管理サーバ２０は、呼出器系情報を受信する（ステップＳｂ１２）。グループＣ管理サーバ３０は、ＨＣ系情報をグループＢ管理サーバ２０に送信する（ステップＳｃ１４）。グループＢ管理サーバ２０は、ＨＣ系情報を受信する（ステップＳｂ１６）。
【０１４１】
続いて、グループＢ管理サーバ２０は、ＣＵ系情報を元にグループＡ向け変換情報を生成する（ステップＳｂ２０）。なお、グループＡ向け変換情報の詳細は後述する。グループＢ管理サーバ２０は、グループＡ向け変換情報をグループＡ管理サーバ１０に送信する（ステップＳｂ２２）。グループＡ管理サーバ１０は、グループＡ向け変換情報を受信する（ステップＳａ２４）。グループＢ管理サーバ２０は、ＣＵ系情報を元にグループＣ向け変換情報を生成する（ステップＳｂ３０）。なお、グループＣ向け変換情報の詳細は後述する。グループＢ管理サーバ２０は、グループＣ向け変換情報をグループＣ管理サーバ３０に送信する（ステップＳｂ３２）。グループＣ管理サーバ３０は、グループＣ向け変換情報を受信する（ステップＳｃ３４）。
【０１４２】
続いて、グループＢ管理サーバ２０は、ＣＵ系情報、呼出器系情報、ＨＣ系を元に合成情報を生成する（ステップＳｂ４０）。なお、合成情報の詳細は後述する。グループＢ管理サーバ２０は、合成情報を送信する（ステップＳｂ４２）。例えば、グループＢ管理サーバ２０は、グループＢの加盟店である各店舗や、遊技機メーカ、異業種等に送信する。
【０１４３】
ステップＳａ２４の処理に続いて、グループＡ管理サーバ１０は、精算処理を実行する（ステップＳａ５０）。ステップＳａ５０の精算処理の詳細は後述する。また、ステップＳｂ４２の処理に続いて、グループＢ管理サーバ２０は、精算処理を実行する（ステップＳｂ５０）。ステップＳｂ５０の精算処理の詳細は後述する。ステップＳｃ３４の処理に続いて、グループＣ管理サーバ３０は、精算処理を実行する（ステップＳｃ５０）。ステップＳｃ５０の精算処理の詳細は後述する。そして、図６のフローチャートは終了する。
【０１４４】
なお、図６のフローチャートでは、グループＡ管理サーバ１０が呼出器系情報を送信した後にグループＣ管理サーバ３０がＨＣ系情報を送信しているが、グループＣ管理サーバ３０がＨＣ系情報を送信した後にグループＡ管理サーバ１０が呼出器系情報を送信してもよい。
【０１４５】
図６のフローチャートでは、グループＢ管理サーバ２０は、グループＡ向け変換情報を生成した後にグループＣ向け変換情報を生成しているが、グループＣ向け変換情報を生成した後にグループＡ向け変換情報を生成してもよい。また、図６のフローチャートでは、一方の変換情報（グループＡ向け変換情報）に関する処理（生成、送信）が終わった後に他方の変換情報（グループＣ向け変換情報）に関する処理を開始しているが、両方の変換情報（グループＡ向け変換情報、グループＣ向け変換情報）を生成した後に両方の変換情報を送信してもよい。
【０１４６】
図６のフローチャートでは、全部の管理サーバ（グループＡ管理サーバ１０、グループＢ管理サーバ２０、グループＣ管理サーバ３０）の夫々が精算処理を実行するが、必ずしも全部の管理サーバの夫々が精算処理を実行しなくてもよい。一例として、グループＢ管理サーバ２０が精算処理を実行し、グループＡ管理サーバ１０やグループＣ管理サーバ３０は精算処理を実行しなくてもよい。また、グループＡ管理サーバ１０とグループＣ管理サーバ３０とが精算処理を実行し、グループＢ管理サーバ２０は精算処理を実行しなくてもよい。
【０１４７】
図６のフローチャートでは、グループＢ管理サーバ２０は、グループＡ向けオプション情報については生成、送信していないが、グループＡ向け変換情報に加えてグループＡ向けオプション情報についても生成、送信してもよい。また、図６のフローチャートでは、グループＢ管理サーバ２０は、グループＣ向けオプション情報については生成、送信していないが、グループＣ向け変換情報に加えてグループＣ向けオプション情報についても生成、送信してもよい。
【０１４８】
図７（Ａ）は、ＣＵ系情報の一例である。具体的には、図７（Ａ）は、ＣＵ系情報の一部（図４の「ＥＸ」と示した範囲のデータ項目）を表している。図７（Ａ）の例によれば、店舗コード「Ｔ００５０１」の店舗に設置された台コード「Ｄ００２４０」の遊技機２００に関して、大当りの総回数が２０回（出玉別には出玉大が２回、出玉小が３回、出玉中が１５回、初当／確変中別には初当が５回、確変中が１５回）である旨、プリペイド入金金額が５５０００円である旨、プリペイド消費金額が４１０００円である旨、入賞口１の通過玉数が１８２０個である旨、入賞口２の通過玉数が７５０個である旨が分かる。なお、図７（Ａ）（図７（Ｂ）、図７（Ｃ）や図８など他図も同様）に示した各データ項目のデータの値は便宜上の値である。例えば、図７（Ａ）に示した「台コード」の桁数は「Ｄ」も含めて５桁であるが、「台コード」は遊技機１００（又は遊技機２００）を一意に識別する識別情報であるため、桁数は６桁以上であってもよい。
【０１４９】
図７（Ｂ）は、呼出器系情報の一例である。具体的には、図７（Ｂ）は、呼出器系情報の一部（図４の「ＥＸ」と示した範囲のデータ項目）を表している。図７（Ｂ）の例によれば、店舗コード「Ｔ００１８１」の店舗に設置された台コード「Ｄ００５５」の遊技機１００に関して、大当りの総回数が６回（確変中別には初当が４回、確変中が２回）である旨、プリペイド入金金額が３６０００円である旨、プリペイド消費金額が３００００円である旨が分かる。
【０１５０】
図７（Ｃ）は、ＨＣ系情報の一例である。具体的には、図７（Ｃ）は、ＨＣ系情報の一部（図４の「ＥＸ」と示した範囲のデータ項目）を表している。図７（Ｃ）の例によれば、店舗コード「Ｔ００１０９」の店舗に設置された台コード「Ｄ０１０９」の遊技機１００に関して、大当りの総回数が１６回（出玉別には出玉大が７回、出玉小が０回、出玉中が９回、初当／確変中別には初当が３回、確変中が１３回）である旨が分かる。
【０１５１】
図４や図７に示すように、グループＢ管理サーバ２０が管理するＣＵ系情報は、グループＡ管理サーバ１０が管理する呼出器系情報やグループＣ管理サーバ３０が管理するＨＣ系情報よりもデータ項目数が多い。
【０１５２】
図８（Ａ）は、グループＡ向け変換情報（ＣＵ系情報ベース）の一例である。つまり、グループＢ管理サーバ２０がＣＵ系情報を元に生成するグループＡ向け変換情報の一例である。具体的には、図８（Ａ）は、グループＡ向け変換情報（ＣＵ系情報ベース）の一部（図４の「ＥＸ」と示した範囲のデータ項目）を表している。
【０１５３】
上述したように、グループＢ管理サーバ２０は、ＣＵ系情報を元にグループＡ向け変換情報を生成するが（ステップＳｂ２０）、具体的には、グループＢ管理サーバ２０は、ＣＵ系情報から所定のデータ項目を抽出し、グループＡ向け変換情報（ＣＵ系情報ベース）としている。より詳細には、グループＢ管理サーバ２０は、ＣＵ系情報から、ＣＵ系情報と呼出器系情報の共通項目部分を抽出し、グループＡ向け変換情報（ＣＵ系情報ベース）としている。つまり、グループＡ向け変換情報（ＣＵ系情報ベース）は、玉管理コンピュータ２５０から得られるＣＵ系情報（具体的にはＣＵ系情報の一部）である。グループＢ向け変換情報（ＣＵ系情報ベース）についても同様である。
【０１５４】
図４の「ＥＸ」と示した範囲のデータ項目に着目すると、図７（Ａ）に示したＣＵ系情報、図７（Ｂ）に示した呼出器系情報の共通項目部分は、店舗コード、台コード、大当たりの総回数、大当り（初当）の総回数、大当り（確変中）の総回数、当日累積プリペイド入金金額、当日累積プリペイド消費金額である。つまり、図８（Ａ）に示したグループＡ向け変換情報（ＣＵ系情報ベース）は、図７（Ａ）に示したＣＵ系情報から、上述の共通項目部分（店舗コード、台コード、大当たりの総回数、大当り（初当）の総回数、大当り（確変中）の総回数、当日累積プリペイド入金金額、当日累積プリペイド消費金額）を抽出したものである。
【０１５５】
図８（Ｂ）は、グループＡ向けオプション情報の一例である。具体的には、図８（Ｂ）は、グループＡ向けオプションの一部（図４の「ＥＸ」と示した範囲のデータ項目）を表している。
【０１５６】
上述したように、グループＢ管理サーバ２０は、ＣＵ系情報を元にグループＡ向けオプション情報を生成するが、具体的には、グループＢ管理サーバ２０は、ＣＵ系情報から所定のデータ項目を抽出し、グループＡ向けオプション情報としている。より詳細には、グループＢ管理サーバ２０は、ＣＵ系情報から、基礎情報と呼出器系情報に無い差分項目部分とを抽出し、グループＡ向けオプション情報としている。つまり、グループＡ向けオプション情報は、玉管理コンピュータ２５０から得られるＣＵ系情報（具体的にはＣＵ系情報の一部）である。グループＢ向けオプション情報についても同様である。
【０１５７】
図４の「ＥＸ」と示した範囲のデータ項目に着目すると、図７（Ａ）に示したＣＵ系情報において示した基礎情報は店舗コード、台コードである。また、図７（Ａ）に示したＣＵ系情報、図７（Ｂ）に示した呼出器系情報の差分項目部分は、大当り（出玉大）の総回数、大当り（出玉小）の総回数、大当り（出玉中）の総回数、入賞口１の通過累積玉数、入賞口２の通過累積玉数である。つまり、図８（Ｂ）に示したグループＡ向けオプション情報は、図７（Ａ）に示したＣＵ系情報から、基礎情報（店舗コード、台コード）と上述の差分項目部分（大当り（出玉大）の総回数、大当り（出玉小）の総回数、大当り（出玉中）の総回数、入賞口１の通過累積玉数、入賞口２の通過累積玉数）を抽出したものである。
【０１５８】
図８（Ｃ）は、グループＣ向け変換情報（ＣＵ系情報ベース）の一例である。つまり、グループＢ管理サーバ２０がＣＵ系情報を元に生成するグループＣ向け変換情報の一例である。具体的には、図８（Ｃ）は、グループＣ向け変換情報（ＣＵ系情報ベース）の一部（図４の「ＥＸ」と示した範囲のデータ項目）を表している。
【０１５９】
上述したように、グループＢ管理サーバ２０は、ＣＵ系情報を元にグループＣ向け変換情報を生成するが（ステップＳｂ３０）、具体的には、グループＢ管理サーバ２０は、ＣＵ系情報から所定のデータ項目を抽出し、グループＣ向け変換情報（ＣＵ系情報ベース）としている。より詳細には、グループＢ管理サーバ２０は、ＣＵ系情報から、ＣＵ系情報とＨＣ系情報の共通項目部分を抽出し、グループＣ向け変換情報（ＣＵ系情報ベース）としている。
【０１６０】
図４の「ＥＸ」と示した範囲のデータ項目に着目すると、図７（Ａ）に示したＣＵ系情報、図７（Ｃ）に示したＨＣ系情報の共通項目部分は、店舗コード、台コード、大当たりの総回数、大当り（出玉大）の総回数、大当り（出玉小）の総回数、大当り（出玉中）の総回数、大当り（初当）の総回数、大当り（確変中）の総回数である。つまり、図８（Ｃ）に示したグループＣ向け変換情報（ＣＵ系情報ベース）は、図７（Ａ）に示したＣＵ系情報から、上述の共通項目部分（店舗コード、台コード、大当たりの総回数、大当り（出玉大）の総回数、大当り（出玉小）の総回数、大当り（出玉中）の総回数、大当り（初当）の総回数、大当り（確変中）の総回数）を抽出したものである。
【０１６１】
図８（Ｄ）は、グループＣ向けオプション情報の一例である。具体的には、図８（Ｄ）は、グループＣ向けオプションの一部（図４の「ＥＸ」と示した範囲のデータ項目）を表している。
【０１６２】
上述したように、グループＢ管理サーバ２０は、ＣＵ系情報を元にグループＣ向けオプション情報を生成するが、具体的には、グループＢ管理サーバ２０は、ＣＵ系情報から所定のデータ項目を抽出し、グループＣ向けオプション情報としている。より詳細には、グループＢ管理サーバ２０は、ＣＵ系情報から、基礎情報とＨＣ系情報に無い差分項目部分とを抽出し、グループＣ向けオプション情報としている。
【０１６３】
図４の「ＥＸ」と示した範囲のデータ項目に着目すると、図７（Ａ）に示したＣＵ系情報において示した基礎情報は店舗コード、台コードである。また、図７（Ａ）に示したＣＵ系情報、図７（Ｃ）に示したＨＣ系情報の差分項目部分は、当日累積プリペイド入金金額、当日累積プリペイド消費金額、入賞口１の通過累積玉数、入賞口２の通過累積玉数である。つまり、図８（Ｄ）に示したグループＣ向けオプション情報は、図７（Ａ）に示したＣＵ系情報から、基礎情報（店舗コード、台コード）と上述の差分項目部分（当日累積プリペイド入金金額、当日累積プリペイド消費金額、入賞口１の通過累積玉数、入賞口２の通過累積玉数）を抽出したものである。
【０１６４】
図８（Ｅ）は、グループＡ向け変換情報（ＣＵ系情報ベース）とグループＡ向けオプション情報とを含む情報（１つに纏めた情報）である。具体的には、図８（Ｅ）は、グループＡ向け変換情報（ＣＵ系情報ベース）とグループＡ向けオプション情報とを含む情報の一部（図４の「ＥＸ」と示した範囲のデータ項目）を表している。つまり、図８（Ａ）のグループＡ向け変換情報（ＣＵ系情報ベース）と図８（Ｂ）のグループＡ向けオプション情報とを含む情報である。
【０１６５】
また、図８（Ｅ）は、グループＣ向け変換情報（ＣＵ系情報ベース）とグループＣ向けオプション情報とを含む情報（１つに纏めた情報）でもある。具体的には、図８（Ｅ）は、グループＣ向け変換情報（ＣＵ系情報ベース）とグループＣ向けオプション情報とを含む情報の一部（図４の「ＥＸ」と示した範囲のデータ項目）を表している。つまり、図８（Ｃ）のグループＣ向け変換情報（ＣＵ系情報ベース）と図８（Ｄ）のグループＣ向けオプション情報とを含む情報である。
【０１６６】
図８（Ｅ）に示した情報は、図７（Ａ）に示したＣＵ系情報と同一である。従って、グループＢ管理サーバ２０は、グループＡ向け変換情報（ＣＵ系情報ベース）とグループＡ向けオプション情報の両方をグループＡ管理サーバ１０に送信する場合において、グループＡ向け変換情報（ＣＵ系情報ベース）とグループＡ向けオプション情報とを別個に送信する必要があるときには夫々を生成してグループＡ管理サーバ１０に送信することになるが、グループＡ向け変換情報（ＣＵ系情報ベース）とグループＡ向けオプション情報とを別個に送信する必要がないときには夫々を生成することなく、単にＣＵ系情報をグループＡ管理サーバ１０に送信してもよい。また、グループＢ管理サーバ２０は、グループＣ向け変換情報（ＣＵ系情報ベース）とグループＣ向けオプション情報の両方をグループＣ管理サーバ３０に送信する場合において、グループＣ向け変換情報（ＣＵ系情報ベース）とグループＣ向けオプション情報とを別個に送信する必要があるときには夫々を生成してグループＣ管理サーバ３０に送信することになるが、グループＣ向け変換情報（ＣＵ系情報ベース）とグループＣ向けオプション情報とを別個に送信する必要がないときには夫々を生成することなく、単にＣＵ系情報をグループＣ管理サーバ３０に送信してもよい。
【０１６７】
図９（Ａ）は、合成情報の一例である。具体的には、図９（Ａ）は、合成情報の一部（図４の「ＥＸ」と示した範囲のデータ項目）を表している。
【０１６８】
上述したように、グループＢ管理サーバ２０は、ＣＵ系情報、呼出器系情報、ＨＣ系情報を元に合成情報を生成するが（ステップＳｂ４０）、具体的には、グループＢ管理サーバ２０は、夫々の系の情報（ＣＵ系情報、呼出器系情報、ＨＣ系情報）から所定のデータ項目を抽出し、合成情報としている。より詳細には、グループＢ管理サーバ２０は、夫々の系の情報（ＣＵ系情報、呼出器系情報、ＨＣ系情報）から、全部の系の情報（ＣＵ系情報、呼出器系情報、ＨＣ系情報）の共通項目部分を抽出し、合成情報としている。
【０１６９】
図４の「ＥＸ」と示した範囲のデータ項目に着目すると、図７（Ａ）に示したＣＵ系情報、図７（Ｂ）に示した呼出器系情報、図７（Ｃ）に示したＨＣ系情報の共通項目部分は、店舗コード、台コード、大当たりの総回数、大当り（初当）の総回数、大当り（確変中）の総回数である。つまり、図９（Ａ）に示した合成情報は、図７（Ａ）に示したＣＵ系情報から上述の共通項目部分を抽出し、図７（Ｂ）に示した呼出器系情報から上述の共通項目部分を抽出し、図７（Ｃ）に示したＨＣ系情報から上述の共通項目部分を抽出したものである。
【０１７０】
図９（Ｂ）は、グループＡ向け変換情報（ＨＣ系情報ベース）の一例である。つまり、ＨＣ系情報を元に生成されるグループＡ向け変換情報の一例である。図９（Ｃ）は、グループＣ向け変換情報（呼出器系情報ベース）の一例である。つまり、呼出器系情報を元に生成されるグループＣ向け変換情報の一例である。グループＡ向け変換情報（ＨＣ系情報ベース）、及び、グループＣ向け変換情報（呼出器系情報ベース）については後述する。
【０１７１】
＜精算処理の第１の実施例＞
図１０は、精算処理の第１の実施例を示すフローチャートである。図１０（Ａ）は、グループＡ管理サーバ１０による精算処理（図６のステップＳａ５０）を示している。図１０（Ｂ）は、グループＢ管理サーバ２０による精算処理（図６のステップＳｂ５０）を示している。図１０（Ｃ）は、グループＣ管理サーバ３０による精算処理（図６のステップＳｃ５０）を示している。
【０１７２】
精算処理の第１の実施例として示す図１０（Ａ）〜図１０（Ｃ）のフローチャートは、オプション情報の送受信が行われない場合の精算処理（一例）を表している。即ち、グループＢ管理サーバ２０は、グループＡ管理サーバ１０にグループＡ向けオプション情報を送信していないものとする。また、グループＢ管理サーバ２０は、グループＣ管理サーバ３０にグループＣ向けオプション情報を送信していないものとする。
【０１７３】
また、図１０（Ａ）〜図１０（Ｃ）のフローチャートにおいて「データ件数」とは、送受信される情報（例えば、図７に示したＣＵ系情報、呼出器系情報、ＨＣ系情報、図８に示した変換情報やオプション情報等）における、レコード数（即ち、台コードによって識別される遊技機１００（又は遊技機２００）の数）である。「データ件数」は、送受信される情報に関する情報量の一例（単位の例）である。後述する図１１（Ａ）〜図１１（Ｃ）のフローチャートにおける「データ件数」や、図１２のフローチャートにおける「データ件数」についても同様である。
【０１７４】
＜精算処理の第１の実施例（グループＡ管理サーバ１０）＞
図１０（Ａ）において、グループＡ管理サーバ１０は、グループＢ管理サーバ２０に送信した呼出器系情報のデータ件数（情報量）と、グループＢ管理サーバ２０から受信した変換情報（ＣＵ系情報ベース）のデータ件数（情報量）との差を計算する（ステップＳａ１５０）。続いて、グループＡ管理サーバ１０は、計算結果（情報量の差）に第１単価を乗じて、グループＢ管理サーバ２０側（グループＢ管理サーバ２０の管理主体等）との間の精算金額を算出する（ステップＳａ１５１）。続いて、グループＡ管理サーバ１０は、精算金額を示した精算情報を出力（表示、印刷、送信、記憶等）する（ステップＳａ１５２）。そして、図１０（Ａ）のフローチャートは終了する。
【０１７５】
＜精算処理の第１の実施例（グループＢ管理サーバ２０）＞
図１０（Ｂ）において、グループＢ管理サーバ２０は、グループＡ管理サーバ１０から受信した呼出器系情報のデータ件数（情報量）と、グループＡ管理サーバ１０に送信した変換情報（ＣＵ系情報ベース）のデータ件数（情報量）との差を計算する（ステップＳｂ１５０）。続いて、グループＢ管理サーバ２０は、ステップＳｂ１５０の計算結果（情報量の差）に第１単価を乗じて、グループＡ管理サーバ１０側（グループＡ管理サーバ１０の管理主体等）との間の精算金額を算出する（ステップＳｂ１５１）。続いて、グループＢ管理サーバ２０は、グループＣ管理サーバ３０から受信したＨＣ系情報のデータ件数（情報量）と、グループＣ管理サーバ３０に送信した変換情報（ＣＵ系情報ベース）のデータ件数（情報量）との差を計算する（ステップＳｂ１５２）。続いて、グループＢ管理サーバ２０は、ステップＳｂ１５２の計算結果（情報量の差）に第１単価を乗じて、グループＣ管理サーバ３０側（グループＣ管理サーバ３０の管理主体等）との間の精算金額を算出する（ステップＳｂ１５３）。続いて、グループＢ管理サーバ２０は、ステップＳｂ１５１やステップＳｂ１５３にて算出した精算金額を示した精算情報を出力（表示、印刷、送信、記憶等）する（ステップＳｂ１５４）。そして、図１０（Ｂ）のフローチャートは終了する。
【０１７６】
＜精算処理の第１の実施例（グループＣ管理サーバ３０）＞
図１０（Ｃ）において、グループＣ管理サーバ３０は、グループＢ管理サーバ２０に送信したＨＣ系情報のデータ件数（情報量）と、グループＢ管理サーバ２０から受信した変換情報（ＣＵ系情報ベース）のデータ件数（情報量）との差を計算する（ステップＳｃ１５０）。続いて、グループＣ管理サーバ３０は、計算結果（情報量の差）に第１単価を乗じて、グループＢ管理サーバ２０側（グループＢ管理サーバ２０の管理主体等）との間の精算金額を算出する（ステップＳｃ１５１）。続いて、グループＣ管理サーバ３０は、精算金額を示した精算情報を出力（表示、印刷、送信、記憶等）する（ステップＳｃ１５２）。そして、図１０（Ｃ）のフローチャートは終了する。
【０１７７】
なお、図１０（Ｂ）のフローチャートでは、グループＡ管理サーバ１０側との間の精算金額を算出した後にグループＣ管理サーバ３０側との間の精算金額を算出しているが、グループＣ管理サーバ３０側との間の精算金額を算出した後にグループＡ管理サーバ１０側との間の精算金額を算出してもよい。
【０１７８】
図１０（Ｂ）のフローチャートでは、両方の精算金額（グループＡ管理サーバ１０側との間の精算金額、グループＣ管理サーバ３０側との間の精算金額）を算出した後に精算情報を出力しているが、一方の精算金額を算出した後であって他方の精算金額を算出する前に、当該一方の精算金額を示した精算情報を出力してもよい。
【０１７９】
また、図１０では、グループＡ管理サーバ１０はグループＢ管理サーバ２０側との間の精算金額を算出し、グループＢ管理サーバ２０はグループＡ管理サーバ１０側との間の精算金額を算出しているが（即ち、双方の側で精算金額を算出しているが）、グループＢ管理サーバ２０かグループＡ管理サーバ１０の何れかで精算金額を算出してもよい（即ち、一方の側では精算金額を算出しなくてもよい）。また、図１０では、グループＣ管理サーバ３０はグループＢ管理サーバ２０側との間の精算金額を算出し、グループＢ管理サーバ２０はグループＣ管理サーバ３０側との間の精算金額を算出しているが（即ち、双方の側で精算金額を算出しているが）、グループＢ管理サーバ２０かグループＣ管理サーバ３０の何れかで精算金額を算出してもよい（即ち、一方の側では精算金額を算出しなくてもよい）。
【０１８０】
＜精算処理の第２の実施例＞
図１１は、精算処理の第２の実施例を示すフローチャートである。図１１（Ａ）は、グループＡ管理サーバ１０による精算処理（図６のステップＳａ５０）を示している。図１１（Ｂ）は、グループＢ管理サーバ２０による精算処理（図６のステップＳｂ５０）を示している。図１１（Ｃ）は、グループＣ管理サーバ３０による精算処理（図６のステップＳｃ５０）を示している。
【０１８１】
精算処理の第２の実施例として示す図１１（Ａ）〜図１１（Ｃ）のフローチャートは、オプション情報の送受信が行われない場合の精算処理（一例）を表している。即ち、グループＢ管理サーバ２０は、グループＡ管理サーバ１０にグループＡ向けオプション情報を送信していないものとする。また、グループＢ管理サーバ２０は、グループＣ管理サーバ３０にグループＣ向けオプション情報を送信していないものとする。
【０１８２】
＜精算処理の第２の実施例（グループＡ管理サーバ１０）＞
図１１（Ａ）において、グループＡ管理サーバ１０は、グループＢ管理サーバ２０に送信した呼出器系情報のデータ件数（情報量）に第２単価を乗じて販売金額を算出する（ステップＳａ２５０）。続いて、グループＡ管理サーバ１０は、グループＢ管理サーバ２０から受信した変換情報（ＣＵ系情報ベース）のデータ件数（情報量）に第３単価を乗じて購入金額を算出する（ステップＳａ２５１）。続いて、グループＡ管理サーバ１０は、ステップＳａ２５０にて算出した販売金額と、ステップＳａ２５１にて算出した購入金額とから、グループＢ管理サーバ２０側との間の精算金額を算出する（ステップＳａ２５２）。続いて、グループＡ管理サーバ１０は、精算金額を示した精算情報を出力（表示、印刷、送信、記憶等）する（ステップＳａ２５３）。そして、図１１（Ａ）のフローチャートは終了する。
【０１８３】
＜精算処理の第２の実施例（グループＢ管理サーバ２０）＞
図１１（Ｂ）において、グループＢ管理サーバ２０は、グループＡ管理サーバ１０から受信した呼出器系情報のデータ件数（情報量）に第２単価を乗じて購入金額を算出する（ステップＳｂ２５０）。続いて、グループＢ管理サーバ２０は、グループＡ管理サーバ１０に送信した変換情報（ＣＵ系情報ベース）のデータ件数（情報量）に第３単価を乗じて販売金額を算出する（ステップＳｂ２５１）。続いて、グループＢ管理サーバ２０は、ステップＳｂ２５１にて算出した販売金額とステップＳｂ２５０にて算出した購入金額とから、グループＡ管理サーバ１０側との間の精算金額を算出する（ステップＳｂ２５２）。
【０１８４】
続いて、グループＢ管理サーバ２０は、グループＣ管理サーバ３０から受信したＨＣ系情報のデータ件数（情報量）に第４単価を乗じて購入金額を算出する（ステップＳｂ２５３）。続いて、グループＢ管理サーバ２０は、グループＣ管理サーバ３０に送信した変換情報（ＣＵ系情報ベース）のデータ件数（情報量）に第５単価を乗じて販売金額を算出する（ステップＳｂ２５４）。続いて、グループＢ管理サーバ２０は、ステップＳｂ２５４にて算出した販売金額とステップＳｂ２５３にて算出した購入金額とから、グループＣ管理サーバ３０側との間の精算金額を算出する（ステップＳｂ２５５）。続いて、グループＢ管理サーバ２０は、ステップＳｂ２５２やステップＳｂ２５５にて算出した精算金額を示した精算情報を出力（表示、印刷、送信、記憶等）する（ステップＳｂ２５６）。そして、図１０（Ｂ）のフローチャートは終了する。
【０１８５】
＜精算処理の第２の実施例（グループＣ管理サーバ３０）＞
図１１（Ｃ）において、グループＣ管理サーバ３０は、グループＢ管理サーバ２０に送信したＨＣ系情報のデータ件数（情報量）に第４単価を乗じて販売金額を算出する（ステップＳｃ２５０）。続いて、グループＣ管理サーバ３０は、グループＢ管理サーバ２０から受信した変換情報（ＣＵ系情報ベース）のデータ件数（情報量）に第５単価を乗じて購入金額を算出する（ステップＳｃ２５１）。続いて、グループＣ管理サーバ３０は、ステップＳｃ２５０にて算出した販売金額と、ステップＳｃ２５１にて算出した購入金額とから、グループＢ管理サーバ２０側との間の精算金額を算出する（ステップＳｃ２５２）。続いて、グループＣ管理サーバ３０は、精算金額を示した精算情報を出力（表示、印刷、送信、記憶等）する（ステップＳｃ２５３）。そして、図１１（Ｃ）のフローチャートは終了する。
【０１８６】
なお、図１１（Ａ）のフローチャートでは、呼出器系情報の販売金額を算出した後に変換情報（ＣＵ系情報ベース）の購入金額を算出しているが、変換情報（ＣＵ系情報ベース）の購入金額を算出した後に呼出器系情報の販売金額を算出してもよい。
【０１８７】
図１１（Ｂ）のフローチャートでは、グループＡ管理サーバ１０側との間の精算金額を算出した後にグループＣ管理サーバ３０側との間の精算金額を算出しているが、グループＣ管理サーバ３０側との間の精算金額を算出した後にグループＡ管理サーバ１０側との間の精算金額を算出してもよい。
【０１８８】
図１１（Ｂ）のフローチャートでは、両方の精算金額（グループＡ管理サーバ１０側との間の精算金額、グループＣ管理サーバ３０側との間の精算金額）を算出した後に精算情報を出力しているが、一方の精算金額を算出した後であって他方の精算金額を算出する前に、当該一方の精算金額を示した精算情報を出力してもよい。
【０１８９】
図１１（Ｃ）のフローチャートでは、ＨＣ系情報の販売金額を算出した後に変換情報（ＣＵ系情報ベース）の購入金額を算出しているが、変換情報（ＣＵ系情報ベース）の購入金額を算出した後にＨＣ系情報の販売金額を算出してもよい。
【０１９０】
なお、図１１（Ａ）及び図１１（Ｂ）において、第２単価＝第３単価としてもよいし、第２単価≠第３単価としてもよい。例えば、第２単価に係る情報（呼出器系情報）に含まれる各データ項目のデータの値の細かさ（精度或いは粒度とも称する）と、第３単価に係る情報（グループＡ向け変換情報（ＣＵ系情報ベース））に含まれる各データ項目のデータの値の細かさとが、同一である場合には、第２単価＝第３単価としてもよい。なお、図１７（後述）に示す例では、第２単価≠第３単価としてもよい。
【０１９１】
図１１（Ｂ）及び図１１（Ｃ）において、第４単価＝第５単価としてもよいし、第４単価≠第５単価としてもよい。例えば、第４単価に係る情報（ＨＣ系情報）に含まれる各データ項目の桁数と、第５単価に係る情報（グループＣ向け変換情報（ＣＵ系情報ベース））に含まれる各データ項目の桁数とが同一である場合には、第４単価＝第５単価としてもよい。
【０１９２】
また、第２単価、第４単価は、送受信する項目数により決めてもよい。例えば、図７（Ｂ）及び図７（Ｃ）に示したように、第２単価に係る情報（呼出器系情報）の項目数＜第４単価に係る情報（ＨＣ系情報）の項目数であるときには、第２単価＜第４単価としてもよい。また、第２単価に係る情報（呼出器系情報）の項目数＞第４単価に係る情報（ＨＣ系情報）の項目数であるときには、第２単価＞第４単価としてもよい。
【０１９３】
また、呼出器系情報の第２単価は、呼出器系情報に含まれる項目数と各項目の重み付け（係数）によって決定されたものであってもよい。例えば、呼出器系情報に含まれる夫々のデータ項目について、夫々のデータ項目の単価を合計し、第２単価としてもよい。グループＡ向け変換情報（ＣＵ系情報ベース）の第３単価、ＨＣ系情報の第４単価、グループＣ向け変換情報（ＣＵ系情報ベース）の第５単価についても同様である。
【０１９４】
なお、後述する図１２においては、第２単価、第３単価、第４単価、第５単価、第６単価、第７単価が用いられるが、図１２における第２単価〜第５単価については、図１１における第２単価〜第５単価と同様に決定してもよい。
【０１９５】
図１１において、第２単価＝第３単価＝第４単価＝第５単価としてもよく、第２単価＝第３単価＝第４単価＝第５単価とする場合には、実質的に、第１の実施例（図１０）と同一となる。
【０１９６】
また、図１１では、グループＡ管理サーバ１０はグループＢ管理サーバ２０側との間の精算金額を算出し、グループＢ管理サーバ２０はグループＡ管理サーバ１０側との間の精算金額を算出しているが（即ち、双方の側で精算金額を算出しているが）、グループＢ管理サーバ２０かグループＡ管理サーバ１０の何れかで精算金額を算出してもよい（即ち、一方の側では精算金額を算出しなくてもよい）。また、図１１では、グループＣ管理サーバ３０はグループＢ管理サーバ２０側との間の精算金額を算出し、グループＢ管理サーバ２０はグループＣ管理サーバ３０側との間の精算金額を算出しているが（即ち、双方の側で精算金額を算出しているが）、グループＢ管理サーバ２０かグループＣ管理サーバ３０の何れかで精算金額を算出してもよい（即ち、一方の側では精算金額を算出しなくてもよい）。
【０１９７】
＜精算処理の第３の実施例＞
図１２は、精算処理の第３の実施例を示すフローチャートである。図１２は、グループＢ管理サーバ２０による精算処理（図６のステップＳｂ５０）を示している。
【０１９８】
精算処理の第３の実施例として示す図１２のフローチャートは、オプション情報の送受信が行われる場合の精算処理（一例）を表している。即ち、グループＢ管理サーバ２０は、グループＡ管理サーバ１０にグループＡ向けオプション情報を送信しているものとする。また、グループＢ管理サーバ２０は、グループＣ管理サーバ３０にグループＣ向けオプション情報を送信しているものとする。
【０１９９】
図１２において、グループＢ管理サーバ２０は、図１１（Ｂ）のステップＳｂ２５０と同様、グループＡ管理サーバ１０から受信した呼出器系情報の購入金額を算出する（ステップＳｂ３５０）。続いて、グループＢ管理サーバ２０は、図１１（Ｂ）のステップＳｂ２５１と同様、グループＡ管理サーバ１０に送信した変換情報（ＣＵ系情報ベース）の販売金額を算出する（ステップＳｂ３５１）。続いて、グループＢ管理サーバ２０は、グループＡ管理サーバ１０に送信したオプション情報のデータ件数（情報量）に第６単価を乗じてオプション情報の販売金額を算出する（ステップＳｂ３５２）。続いて、グループＢ管理サーバ２０は、ステップＳｂ３５１にて算出した変換情報（ＣＵ系情報ベース）の販売金額とステップＳｂ３５２にて算出したオプション情報の販売金額とステップＳｂ３５０にて算出した呼出器系情報の購入金額とから、グループＡ管理サーバ１０側との間の精算金額を算出する（ステップＳｂ３５３）。
【０２００】
続いて、グループＢ管理サーバ２０は、図１１（Ｂ）のステップＳｂ２５３と同様、グループＣ管理サーバ３０から受信したＨＣ系情報の購入金額を算出する（ステップＳｂ３５４）。続いて、グループＢ管理サーバ２０は、図１１（Ｂ）のステップＳｂ２５４と同様、グループＣ管理サーバ３０に送信した変換情報（ＣＵ系情報ベース）の販売金額を算出する（ステップＳｂ３５５）。続いて、グループＢ管理サーバ２０は、グループＣ管理サーバ３０に送信したオプション情報のデータ件数（情報量）に第７単価を乗じてオプション情報の販売金額を算出する（ステップＳｂ３５６）。続いて、グループＢ管理サーバ２０は、ステップＳｂ３５５にて算出した変換情報（ＣＵ系情報ベース）の販売金額とステップＳｂ３５６にて算出したオプション情報の販売金額とステップＳｂ３５４にて算出したＨＣ系情報の購入金額とから、グループＣ管理サーバ３０側との間の精算金額を算出する（ステップＳｂ３５７）。続いて、グループＢ管理サーバ２０は、ステップＳｂ３５３やステップＳｂ３５７にて算出した精算金額を示した精算情報を出力（表示、印刷、送信、記憶等）する（ステップＳｂ３５８）。そして、図１２のフローチャートは終了する。
【０２０１】
なお、図１２のフローチャートでは、グループＡ管理サーバ１０側との間の精算金額を算出した後にグループＣ管理サーバ３０側との間の精算金額を算出しているが、グループＣ管理サーバ３０側との間の精算金額を算出した後にグループＡ管理サーバ１０側との間の精算金額を算出してもよい。
【０２０２】
図１２のフローチャートでは、両方の精算金額（グループＡ管理サーバ１０側との間の精算金額、グループＣ管理サーバ３０側との間の精算金額）を算出した後に精算情報を出力しているが、一方の精算金額を算出した後であって他方の精算金額を算出する前に、当該一方の精算金額を示した精算情報を出力してもよい。
【０２０３】
なお、図１２において、第６単価＝第７単価としてもよいし、第６単価≠第７単価としてもよい。例えば、グループＡ向けオプション情報とグループＣ向けオプション情報のデータ項目数に応じて第６単価、第７単価を決定してもよい。第６単価、第７単価は、送受信する項目数により決めてもよい。例えば、図８（Ｂ）及び図８（Ｄ）に示したように、第６単価に係る情報（グループＡ向けオプション情報）の項目数＞第７単価に係る情報（グループＣ向けオプション情報）の項目数であるときには、第６単価＞第７単価としてもよい。また、第６単価に係る情報（グループＡ向けオプション情報）の項目数＜第７単価に係る情報（グループＣ向けオプション情報）の項目数であるときには、第６単価＜第７単価としてもよい。
【０２０４】
また、グループＡ向けオプション情報の第６単価は、グループＡ向けオプション情報に含まれる項目数と各項目の重み付け（係数）によって決定されたものであってもよい。例えば、グループＡ向けオプション情報に含まれる夫々のデータ項目について、夫々のデータ項目の単価を合計し、第６単価としてもよい。グループＣ向けオプション情報の第７単価についても同様である。
【０２０５】
なお、グループＢ管理サーバ２０に代えて又は加えて、グループＡ管理サーバ１０が、グループＢ管理サーバ２０側との間の精算金額を算出してもよい。即ち、グループＢ管理サーバ２０とグループＡ管理サーバ１０の間でオプション情報の送受信が行われない場合と同様、グループＢ管理サーバ２０とグループＡ管理サーバ１０の間でオプション情報の送受信が行われる場合にも、グループＢ管理サーバ２０かグループＡ管理サーバ１０の少なくとも一方の側で精算金額を算出できればよい。
【０２０６】
また、グループＢ管理サーバ２０に代えて又は加えて、グループＣ管理サーバ３０が、グループＢ管理サーバ２０側との間の精算金額を算出してもよい。即ち、グループＢ管理サーバ２０とグループＣ管理サーバ３０の間でオプション情報の送受信が行われない場合と同様、グループＢ管理サーバ２０とグループＣ管理サーバ３０の間でオプション情報の送受信が行われる場合にも、グループＢ管理サーバ２０かグループＣ管理サーバ３０の少なくとも一方の側で精算金額を算出できればよい。
【０２０７】
図１３は、管理サーバ間の連携等の他の態様を説明するための概略図である。図１３において、「￥」無しの矢印（矢印ｉ、矢印ｊ）は、情報の流れを模式的に示している。図１３において「￥」有りの矢印（矢印Ｍ７、矢印Ｍ８）は、金の流れを模式的に示している。なお、図５にて示した内容（情報の流れ、金の流れ）は、図１３では図示を省略している。
【０２０８】
＜情報の流れ＞
グループＢ管理サーバ２０は、ＨＣ系情報（グループＣ管理サーバ３０から取得したＨＣ系情報）を元にグループＡ向け変換情報を生成し、グループＡ管理サーバ１０に送信してもよい（矢印ｉ）。
【０２０９】
図９（Ｂ）は、グループＡ向け変換情報（ＨＣ系情報ベース）の一例である。つまり、グループＢ管理サーバ２０がＨＣ系情報を元に生成するグループＡ向け変換情報の一例である。具体的には、図９（Ｂ）は、グループＡ向け変換情報（ＨＣ系情報ベース）の一部（図４の「ＥＸ」と示した範囲のデータ項目）を表している。
【０２１０】
上述したように、グループＢ管理サーバ２０は、ＨＣ系情報を元にグループＡ向け変換情報を生成するが、具体的には、グループＢ管理サーバ２０は、ＨＣ系情報から所定のデータ項目を抽出し、グループＡ向け変換情報（ＨＣ系情報ベース）としている。より詳細には、グループＢ管理サーバ２０は、ＨＣ系情報から、ＨＣ系情報と呼出器系情報の共通項目部分を抽出し、グループＡ向け変換情報（ＨＣ系情報ベース）としている。つまり、グループＡ向け変換情報（ＨＣ系情報ベース）は、ＨＣ１３０から得られるＨＣ系情報（具体的にはＨＣ系情報の一部）である。
【０２１１】
図４の「ＥＸ」と示した範囲のデータ項目に着目すると、図７（Ｃ）に示したＨＣ系情報、図７（Ｂ）に示した呼出器系情報の共通項目部分は、店舗コード、台コード、大当たりの総回数、大当り（初当）の総回数、大当り（確変中）の総回数である。つまり、図９（Ｂ）に示したグループＡ向け変換情報（ＨＣ系情報ベース）は、図７（Ｃ）に示したＨＣ系情報から、上述の共通項目部分（店舗コード、台コード、大当たりの総回数、大当り（初当）の総回数、大当り（確変中）の総回数）を抽出したものである。
【０２１２】
また、グループＢ管理サーバ２０は、呼出器系情報（グループＡ管理サーバ１０から取得した呼出器系情報）を元にグループＣ向け変換情報を生成し、グループＣ管理サーバ３０に送信してもよい（矢印ｊ）。
【０２１３】
図９（Ｃ）は、グループＣ向け変換情報（呼出器系情報ベース）の一例である。つまり、グループＢ管理サーバ２０が呼出器系情報を元に生成するグループＣ向け変換情報の一例である。具体的には、図９（Ｃ）は、グループＣ向け変換情報（呼出器系情報ベース）の一部（図４の「ＥＸ」と示した範囲のデータ項目）を表している。
【０２１４】
上述したように、グループＢ管理サーバ２０は、呼出器系情報を元にグループＣ向け変換情報を生成するが、具体的には、グループＢ管理サーバ２０は、呼出器系情報から所定のデータ項目を抽出し、グループＣ向け変換情報（呼出器系情報ベース）としている。より詳細には、グループＢ管理サーバ２０は、呼出器系情報から、呼出器系情報とＨＣ系情報の共通項目部分を抽出し、グループＣ向け変換情報（呼出器系情報ベース）としている。つまり、グループＣ向け変換情報（呼出器系情報ベース）は、呼出器管理コンピュータ１４０から得られる呼出器系情報（具体的には呼出器系情報の一部）である。
【０２１５】
図４の「ＥＸ」と示した範囲のデータ項目に着目すると、図７（Ｂ）に示した呼出器系情報、図７（Ｃ）に示したＨＣ系情報の共通項目部分は、店舗コード、台コード、大当たりの総回数、大当り（初当）の総回数、大当り（確変中）の総回数である。つまり、図９（Ｃ）に示したグループＣ向け変換情報（呼出器系情報ベース）は、図７（Ｂ）に示した呼出器系情報から、上述の共通項目部分（店舗コード、台コード、大当たりの総回数、大当り（初当）の総回数、大当り（確変中）の総回数）を抽出したものである。
【０２１６】
＜金の流れ＞
グループＢ管理サーバ２０がグループＡ管理サーバ１０に変換情報（ＨＣ系情報ベース）を送信した場合には、グループＡ管理サーバ１０側は当該変換情報（ＨＣ系情報ベース）に応じた金額をグループＢ管理サーバ２０側に支払う（矢印Ｍ７）。
【０２１７】
グループＢ管理サーバ２０がグループＣ管理サーバ３０に変換情報（呼出器系情報ベース）を送信した場合には、グループＣ管理サーバ３０側は当該変換情報（呼出器系情報ベース）に応じた金額をグループＢ管理サーバ２０側に支払う（矢印Ｍ８）。
【０２１８】
図１４は、管理サーバ間の連携等の他の態様を説明するための概略図である。図１４において、「￥」無しの矢印（矢印ａ）は、情報の流れを模式的に示している。図１４において「￥」有りの矢印（矢印Ｍ９〜矢印Ｍ１２）は、金の流れを模式的に示している。なお、図５にて示した内容（情報の流れ、金の流れ）は、図１４では図示を省略している。
【０２１９】
＜情報の流れ＞
グループＡ管理サーバ１０は、呼出器系情報をグループＢの加盟店の各店舗に送信してもよい（矢印ａ）。グループＣ管理サーバ３０は、ＨＣ系情報をグループＢの加盟店の各店舗に送信してもよい（矢印ｃ）。
【０２２０】
＜金の流れ＞
グループＡ管理サーバ１０がグループＢの夫々の加盟店に呼出器系情報を送信した場合には、グループＢの夫々の加盟店は、グループＡ管理サーバ１０から受信した呼出器系情報に応じた金額（例えば、呼出器系情報の情報量に応じた金額）を、グループＡ管理サーバ１０側に支払う（矢印Ｍ９）。また、グループＡ管理サーバ１０側は、グループＢの加盟店から得られた金額の一部（所定の割合）をグループＢ管理サーバ２０側に支払う（矢印Ｍ１０）。
【０２２１】
グループＣ管理サーバ３０がグループＢの夫々の加盟店にＨＣ系情報を送信した場合には、グループＢの夫々の加盟店は、グループＣ管理サーバ３０から受信したＨＣ系情報に応じた金額（例えば、ＨＣ系情報の情報量に応じた金額）を、グループＣ管理サーバ３０側に支払う（矢印Ｍ１１）。また、グループＣ管理サーバ３０側は、グループＢの加盟店から得られた金額の一部（所定の割合）をグループＢ管理サーバ２０側に支払う（矢印Ｍ１２）。
【０２２２】
なお、図１４では、グループＡ管理サーバ１０は、配下の各店舗（グループＡの加盟店の各店舗）から取得した情報（呼出器系情報）をグループＢの加盟店の各店舗に送信しているが、グループＡ管理サーバ１０は、配下の各店舗から取得した情報に代えて又は加えて、他の管理サーバ（例えば、グループＢ管理サーバ２０）から取得した情報（グループＡ向け変換情報（ＣＵ系情報ベース）、グループＡ向けオプション情報、グループＡ向け変換情報（ＨＣ系情報ベース）等）をグループＢの加盟店の各店舗に送信してもよい。
【０２２３】
また、図１４では、グループＣ管理サーバ３０は、配下の各店舗（グループＣの加盟店の各店舗）から取得した情報（ＨＣ系情報）をグループＢの加盟店の各店舗に送信しているが、グループＣ管理サーバ３０は、配下の各店舗から取得した情報に代えて又は加えて、他の管理サーバ（例えば、グループＢ管理サーバ２０）から取得した情報（グループＣ向け変換情報（ＣＵ系情報ベース）、グループＣ向けオプション情報、グループＣ向け変換情報（呼出器系情報ベース）等）をグループＢの加盟店の各店舗に送信してもよい。
【０２２４】
図５などに示した例は、ある店舗がグループＡ、グループＢ、グループＣの何れか１つに属する例であったが、ある店舗がグループＡ、グループＢ、グループＣの２以上に属してもよいし、ある店舗がグループＡ、グループＢ、グループＣの何れにも属しなくてもよい。つまり、グループＡ及びグループＢの２つに属する加盟店があってもよいし、グループＣ及びグループＢの２つに属する加盟店があってもよいし、グループＡ及びグループＣの２つに属する加盟店があってもよいし、グループＡ、グループＢ及びグループＣの３つに属する加盟店があってもよいし、グループＡ、グループＢ、グループＣの何れにも属しない店舗があってもよい。
【０２２５】
＜グループＡ及びグループＢの２つに属する加盟店の店舗の装置構成＞
グループＡ及びグループＢに属する加盟店の店舗の装置構成は、例えば、図２の構成と図１の構成とを合わせた構成となる。つまり、グループＡ及びグループＢに属する加盟店の店舗の装置構成は、図２に示した構成（玉管理コンピュータ２５０（タイプ２）がグループＢ管理サーバ２０にＣＵ系情報を送信する構成）において、呼出器管理コンピュータ１４０が、情報表示装置１２０から受信して蓄積している情報を、図１の如く呼出器系情報としてグループＡ管理サーバ１０に送信するようになっていればよい。
【０２２６】
＜グループＣ及びグループＢの２つに属する加盟店の店舗の装置構成＞
グループＣ及びグループＢに属する加盟店の店舗の装置構成は、例えば、図２の構成と図３の構成とを合わせた構成となる。つまり、グループＣ及びグループＢに属する加盟店の店舗の装置構成は、図２に示した構成（玉管理コンピュータ２５０（タイプ２）がグループＢ管理サーバ２０にＣＵ系情報を送信する構成）において、ＨＣ１３０が、遊技機２００から受信して蓄積している情報を、図３の如くＨＣ系情報としてグループＣ管理サーバ３０に送信するようになっていればよい。
【０２２７】
＜グループＡ及びグループＣの２つに属する加盟店の店舗の装置構成＞
グループＡ及びグループＣに属する加盟店の店舗の装置構成は、例えば、図１の構成と図３の構成とを合わせた構成となる。つまり、グループＡ及びグループＣに属する加盟店の店舗の装置構成は、図１に示した構成（呼出器管理コンピュータ１４０がグループＡ管理サーバ１０に呼出器系情報を送信する構成）において、ＨＣ１３０が、遊技機１００から受信して蓄積している情報を、図３の如くＨＣ系情報としてグループＣ管理サーバ３０に送信するようになっていればよい。
【０２２８】
＜グループＡ、Ｂ、Ｃの３つに属する加盟店の店舗の装置構成＞
グループＡ、グループＢ及びグループＣの３つに属する加盟店の装置構成は、例えば、図２の構成と図１の構成と図３の構成とを合わせた構成となる。つまり、グループＡ、グループＢ及びグループＣの３つに属する加盟店の店舗の装置構成は、図２に示した構成（玉管理コンピュータ２５０（タイプ２）がグループＢ管理サーバ２０にＣＵ系情報を送信する構成）において、呼出器管理コンピュータ１４０が、情報表示装置１２０から受信して蓄積している情報を、図１の如く呼出器系情報としてグループＡ管理サーバ１０に送信し、且つ、ＨＣ１３０が、遊技機２００から受信して蓄積している情報を、図３の如くＨＣ系情報としてグループＣ管理サーバ３０に送信するようになっていればよい。
【０２２９】
図１５は、グループＡ、Ｂ、Ｃの３つに属する加盟店から送信される夫々の管理サーバ（グループＡ管理サーバ１０、グループＢ管理サーバ２０、グループＣ管理サーバ３０）に送信される情報の一例である。
【０２３０】
図１５（Ａ）は、グループＡ、Ｂ、Ｃの３つに属する加盟店の店舗（具体例として店舗コード「Ｔ００９９２」の店舗）からグループＢ管理サーバ２０に送信されるＣＵ系情報の一例である。具体的には、図１５（Ａ）は、図７（Ａ）と同様、ＣＵ系情報の一部（図４の「ＥＸ」と示した範囲のデータ項目）を表している。
【０２３１】
図１５（Ｂ）は、グループＡ、Ｂ、Ｃの３つに属する加盟店の店舗（具体例として店舗コード「Ｔ００９９２」の店舗）からグループＡ管理サーバ１０に送信される呼出器系情報の一例である。具体的には、図１５（Ｂ）は、図７（Ｂ）と同様、呼出器系情報の一部（図４の「ＥＸ」と示した範囲のデータ項目）を表している。
【０２３２】
図１５（Ｃ）は、グループＡ、Ｂ、Ｃの３つに属する加盟店の店舗（具体例として店舗コード「Ｔ００９９２」の店舗）からグループＣ管理サーバ３０に送信されるＨＣ系情報の一例である。具体的には、図１５（Ｃ）は、図７（Ｃ）と同様、ＨＣ系情報の一部（図４の「ＥＸ」と示した範囲のデータ項目）を表している。
【０２３３】
図１５（Ａ）及び図１５（Ｂ）によれば、図１５（Ｂ）に示した呼出器系情報は、図１５（Ａ）に示したＣＵ系情報の一部である。換言すれば、図１５（Ｂ）に示した呼出器系情報から得られる情報は、何れも、図１５（Ａ）に示したＣＵ系情報から得ることができる。つまり、グループＢ管理サーバ２０から見れば、図１５（Ｂ）に示した呼出器系情報は、自らがグループＢの加盟店から取得するＣＵ系情報と重複するデータであり、有益なデータではない。従って、グループＡ管理サーバ１０は、送信先（グループＢ管理サーバ２０）にとって有益でないデータ（重複するデータ）を送信しないようにしてもよい。具体的には、グループＡ管理サーバ１０は、重複するデータを除外した呼出器系情報をグループＢ管理サーバ２０に送信するようにしてもよい。例えば、グループＡ管理サーバ１０は、グループＢにもグループＡにも属する加盟店の店舗コード（具体例として店舗コード「Ｔ００９９２」等）等を記憶し、当該店舗コードを有するデータを除外した呼出器系情報をグループＢ管理サーバ２０に送信するようにしてもよい。つまり、グループＡ管理サーバ１０は、グループＢにもグループＡにも属する加盟店（更にグループＣに属するか否かは問わない）から取得した呼出器系情報についてはグループＢ管理サーバ２０への送信も行わないようにしてもよい。
【０２３４】
図１５（Ａ）及び図１５（Ｃ）によれば、図１５（Ｃ）に示したＨＣ系情報は、図１５（Ａ）に示したＣＵ系情報の一部である。換言すれば、図１５（Ｃ）に示したＨＣ系情報から得られる情報は、何れも、図１５（Ａ）に示したＣＵ系情報から得ることができる。つまり、グループＢ管理サーバ２０から見れば、図１５（Ｃ）に示したＨＣ系情報は、自らがグループＣの加盟店から取得するＨＣ系情報と重複するデータであり、有益なデータではない。従って、グループＣ管理サーバ３０は、送信先（グループＢ管理サーバ２０）にとって有益でないデータ（重複するデータ）を送信しないようにしてもよい。具体的には、グループＣ管理サーバ３０は、重複するデータを除外したＨＣ系情報をグループＢ管理サーバ２０に送信するようにしてもよい。例えば、グループＣ管理サーバ３０は、グループＢにもグループＣにも属する加盟店の店舗コード（具体例として店舗コード「Ｔ００９９２」等）等を記憶し、当該店舗コードを有するデータを除外したＨＣ系情報をグループＢ管理サーバ２０に送信するようにしてもよい。つまり、グループＣ管理サーバ３０は、グループＢにもグループＣにも属する加盟店（更にグループＡに属するか否かは問わない）から取得したＨＣ系情報についてはグループＢ管理サーバ２０への送信も行わないようにしてもよい。
【０２３５】
図１６は、グループＡ、Ｂ、Ｃの３つに属する加盟店から送信される夫々の管理サーバ（グループＡ管理サーバ１０、グループＢ管理サーバ２０、グループＣ管理サーバ３０）に送信される情報を元に生成される情報の一例である。
【０２３６】
図１６（Ａ）は、グループＡ、Ｂ、Ｃの３つに属する加盟店の店舗（具体例として店舗コード「Ｔ００９９２」の店舗）からグループＢ管理サーバ２０に送信されるＣＵ系情報を元に生成されるグループＡ向け変換情報（ＣＵ系情報ベース）の一例である。具体的には、図１６（Ａ）は、図８（Ａ）と同様、グループＡ向け変換情報（ＣＵ系情報ベース）の一部（図４の「ＥＸ」と示した範囲のデータ項目）を表している。
【０２３７】
図１６（Ｂ）は、グループＡ、Ｂ、Ｃの３つに属する加盟店の店舗（具体例として店舗コード「Ｔ００９９２」の店舗）からグループＢ管理サーバ２０に送信されるＣＵ系情報を元に生成されるグループＡ向けオプション情報の一例である。具体的には、図１６（Ｂ）は、図８（Ｂ）と同様、グループＡ向けオプション情報の一部（図４の「ＥＸ」と示した範囲のデータ項目）を表している。
【０２３８】
図１６（Ｃ）は、グループＡ、Ｂ、Ｃの３つに属する加盟店の店舗（具体例として店舗コード「Ｔ００９９２」の店舗）からＢ管理サーバ２０に送信されるＣＵ系情報を元に生成されるグループＣ向け変換情報（ＣＵ系情報ベース）の一例である。具体的には、図１６（Ｃ）は、図８（Ｃ）と同様、グループＣ向け変換情報（ＣＵ系情報ベース）の一部（図４の「ＥＸ」と示した範囲のデータ項目）を表している。
【０２３９】
図１６（Ｄ）は、グループＡ、Ｂ、Ｃの３つに属する加盟店の店舗（具体例として店舗コード「Ｔ００９９２」の店舗）からグループＢ管理サーバ２０に送信されるＣＵ系情報を元に生成されるグループＣ向けオプション情報の一例である。具体的には、図１６（Ｄ）は、図８（Ｄ）と同様、グループＣ向けオプション情報の一部（図４の「ＥＸ」と示した範囲のデータ項目）を表している。
【０２４０】
図１６（Ｅ）は、グループＡ、Ｂ、Ｃの３つに属する加盟店の店舗（具体例として店舗コード「Ｔ００９９２」の店舗）からグループＣ管理サーバ３０に送信されるＨＣ系情報を元に生成されるグループＡ向け変換情報（ＨＣ系情報ベース）の一例である。具体的には、図１６（Ｅ）は、図９（Ｂ）と同様、グループＡ向け変換情報（ＨＣ系情報ベース）の一部（図４の「ＥＸ」と示した範囲のデータ項目）を表している。
【０２４１】
図１６（Ｆ）は、グループＡ、Ｂ、Ｃの３つに属する加盟店の店舗（具体例として店舗コード「Ｔ００９９２」の店舗）からグループＡ管理サーバ１０に送信される呼出器系情報を元に生成されるグループＣ向け変換情報（呼出器系情報ベース）の一例である。具体的には、図１６（Ｆ）は、図９（Ｃ）と同様、グループＣ向け変換情報（呼出器系情報ベース）の一部（図４の「ＥＸ」と示した範囲のデータ項目）を表している。
【０２４２】
図１５（Ｂ）及び図１６（Ａ）によれば、図１６（Ａ）に示したグループＡ向け変換情報（ＣＵ系情報ベース）は、図１５（Ｂ）に示した呼出器系情報と同一である。換言すれば、図１６（Ａ）に示したグループＡ向け変換情報（ＣＵ系情報ベース）から得られる情報は、何れも、図１５（Ｂ）に示した呼出器系情報から得ることができる。つまり、グループＡ管理サーバ１０から見れば、図１６（Ａ）に示したグループＡ向け変換情報（ＣＵ系情報ベース）は、自らがグループＡの加盟店から取得する呼出器系情報と重複するデータであり、有益なデータではない。従って、グループＢ管理サーバ２０は、送信先（グループＡ管理サーバ１０）にとって有益でないデータ（重複するデータ）を送信しないようにしてもよい。具体的には、グループＢ管理サーバ２０は、重複するデータを除外したグループＡ向け変換情報（ＣＵ系情報ベース）を生成し、グループＡ管理サーバ１０に送信するようにしてもよい。例えば、グループＢ管理サーバ２０は、グループＢにもグループＡにも属する加盟店の店舗コード（具体例として店舗コード「Ｔ００９９２」等）等を記憶し、当該店舗コードを有するデータを除外したグループＡ向け変換情報（ＣＵ系情報ベース）を生成し、グループＡ管理サーバ１０に送信するようにしてもよい。つまり、グループＢ管理サーバ２０は、グループＢにもグループＡにも属する加盟店（更にグループＣに属するか否かは問わない）から取得したＣＵ系情報を元にしたグループＡ向け変換情報（ＣＵ系情報ベース）については生成もグループＡ管理サーバ１０への送信も行わないようにしてもよい。
【０２４３】
図１５（Ｃ）及び図１６（Ｃ）によれば、図１６（Ｃ）に示したグループＣ向け変換情報（ＣＵ系情報ベース）は、図１５（Ｃ）に示したＨＣ系情報と同一である。換言すれば、図１６（Ｃ）に示したグループＣ向け変換情報（ＣＵ系情報ベース）から得られる情報は、何れも、図１５（Ｃ）に示したＨＣ系情報から得ることができる。つまり、グループＣ管理サーバ３０から見れば、図１６（Ｃ）に示したグループＣ向け変換情報（ＣＵ系情報ベース）は、自らがグループＣの加盟店から取得するＨＣ情報と重複するデータであり、有益なデータではない。従って、グループＢ管理サーバ２０は、送信先（グループＣ管理サーバ３０）にとって有益でないデータ（重複するデータ）を送信しないようにしてもよい。具体的には、グループＢ管理サーバ２０は、重複するデータを除外したグループＣ向け変換情報（ＣＵ系情報ベース）を生成し、グループＣ管理サーバ３０に送信するようにしてもよい。例えば、グループＢ管理サーバ２０は、グループＢにもグループＣにも属する加盟店の店舗コード（具体例として店舗コード「Ｔ００９９２」等）等を記憶し、当該店舗コードを有するデータを除外したグループＣ向け変換情報（ＣＵ系情報ベース）を生成し、グループＣ管理サーバ３０に送信するようにしてもよい。つまり、グループＢ管理サーバ２０は、グループＢにもグループＣにも属する加盟店（更にグループＡに属するか否かは問わない）から取得したＣＵ系情報を元にしたグループＣ向け変換情報（ＣＵ系情報ベース）については生成もグループＣ管理サーバ３０への送信も行わないようにしてもよい。
【０２４４】
＜データの重複を考慮した精算処理＞
重複するデータを送信しない場合（重複するデータを除外した呼出器系情報、ＨＣ系情報、グループＡ向け変換情報（ＣＵ系情報ベース）を送信する場合）であっても、精算処理の第１の実施例（図１０）を、そのまま適用可能である。つまり、グループＡ管理サーバ１０によるデータ件数の差の計算（ステップＳａ１５０）、グループＢ管理サーバ２０によるデータ件数の差の計算（ステップＳｂ１５０、Ｓｂ１５２）、グループＣ管理サーバ３０によるデータ件数の差の計算（ステップＳｃ１５０）において、重複するデータは既に除外されているため、重複するデータを送信しないのであれば、精算処理の第１の実施例（図１０）を、そのまま適用可能である。
【０２４５】
重複するデータを送信しない場合には、精算処理の第２の実施例（図１１）についても、そのまま適用可能である。つまり、販売金額や購入金額の算出（図１１（Ａ）のステップＳａ２５０、Ｓａ２５１、図１１（Ｂ）のステップＳｂ２５０、Ｓｂ２５１、ステップＳｂ２５３、Ｓｂ２５４、図１１（Ｂ）のステップＳｃ２５０、Ｓｃ２５１）において、重複するデータは既に除外されているため、重複するデータを送信しないのであれば、精算処理の第２の実施例（図１１）を、そのまま適用可能である。
【０２４６】
重複するデータを送信しない場合には、精算処理の第３の実施例（図１２）についても、そのまま適用可能である。なお、第３の実施例（図１２）のオプション情報の販売金額を含むが、図１６（Ｂ）に示したグループＡ向けオプション情報は、図１５（Ｂ）に示した呼出器系情報と同一ではなく有益なデータであり、グループＡ管理サーバ１０に送信される。また、図１６（Ｃ）に示したグループＣ向けオプション情報は、図１５（Ｃ）に示したＨＣ系情報と同一ではなく有益なデータであり、グループＣ管理サーバ３０に送信される。
【０２４７】
なお、重複するデータを送信する場合（重複するデータを含む呼出器系情報、ＨＣ系情報、グループＡ向け変換情報（ＣＵ系情報ベース）等を送信する場合）には、重複するデータ分をカウントしないようにすればよい。例えば、精算処理の第１の実施例（図１０）では、データ件数の差の計算（ステップＳａ１５０、Ｓｂ１５０、Ｓｂ１５２、Ｓｃ１５０）において、データ件数から重複分を減算してもよい。また、精算処理の第２の実施例（図１１）では、販売金額や購入金額の算出（ステップＳａ２５０、Ｓａ２５１、Ｓｂ２５０、Ｓｂ２５１、Ｓｂ２５３、Ｓｂ２５４、Ｓｃ２５０、Ｓｃ２５１）において、データ件数から重複分を減算してもよい。また、精算処理の第３の実施例（図１２）では、販売金額（オプション情報を除く）や購入金額の算出（ステップＳａ３５０、Ｓａ３５１、Ｓｂ３５４、Ｓｂ３５５）において、データ件数から重複分を減算してもよい。
【０２４８】
また、図１５（Ｂ）及び図１６（Ｅ）によれば、図１６（Ｅ）に示したグループＡ向け変換情報（ＨＣ系情報ベース）から得られる情報は、何れも、図１５（Ｂ）に示した呼出器系情報から得ることができる。従って、グループＢ管理サーバ２０は、グループＡにもグループＣにも属する加盟店（更にグループＢに属するか否かは問わない）から取得したＨＣ系情報を元にしたグループＡ向け変換情報（ＨＣ系情報ベース）については生成もグループＡ管理サーバ１０への送信も行わないようにしてもよい。例えば、グループＢ管理サーバ２０は、グループＡにもグループＣにも属する加盟店の店舗コード（具体例として店舗コード「Ｔ００９９２」等）等を記憶し、当該店舗コードを有するデータを除外したグループＡ向け変換情報（ＨＣ系情報ベース）を生成し、グループＡ管理サーバ１０に送信するようにしてもよい。
【０２４９】
なお、グループＡ向け変換情報（ＨＣ系情報ベース）を送受信する場合の精算処理のフローチャートについては非図示としているが、グループＡ向け変換情報（ＣＵ系情報ベース）を送受信する場合と同様、上述の重複を考慮して精算金額を算出すればよい。
【０２５０】
また、図１５（Ｃ）及び図１６（Ｆ）によれば、図１６（Ｆ）に示したグループＣ向け変換情報（呼出器系情報ベース）から得られる情報は、何れも、図１５（Ｃ）に示したＨＣ系情報から得ることができる。従って、グループＢ管理サーバ２０は、グループＡにもグループＣにも属する加盟店（更にグループＢに属するか否かは問わない）から取得した呼出器系情報を元にしたグループＣ向け変換情報（呼出器系情報ベース）については生成もグループＣ管理サーバ３０への送信も行わないようにしてもよい。例えば、グループＢ管理サーバ２０は、グループＡにもグループＣにも属する加盟店の店舗コード（具体例として店舗コード「Ｔ００９９２」等）等を記憶し、当該店舗コードを有するデータを除外したグループＣ向け変換情報（呼出器系情報ベース）を生成し、グループＣ管理サーバ３０に送信するようにしてもよい。
【０２５１】
なお、グループＣ向け変換情報（呼出器系情報ベース）を送受信する場合の精算処理のフローチャートについては非図示としているが、グループＣ向け変換情報（ＣＵ系情報ベース）を送受信する場合と同様、上述の重複を考慮して精算金額を算出すればよい。
【０２５２】
また、図１６において記載を省略したが、グループＢにもグループＡにも属する一の加盟店（更にグループＣに属するか否かは問わない）から取得したＣＵ系情報に基づく合成情報と当該加盟店から取得した呼出器系情報に基づく合成情報とは同一となるため（図９（Ａ）に合成情報のデータ項目を参照）、何れか一方があればよい。例えば、グループＢ管理サーバ２０は、ＣＵ系情報に基づく合成情報を生成し、呼出器系情報に基づく合成情報は生成しなくてもよい。同様に、グループＢにもグループＣにも属する一の加盟店（更にグループＡに属するか否かは問わない）から取得したＣＵ系情報に基づく合成情報と、当該加盟店から取得したＨＣ系情報に基づく合成情報とは同一となるため、何れか一方があればよい。例えば、グループＢ管理サーバ２０は、ＣＵ系情報に基づく合成情報を生成し、ＨＣ系情報に基づく合成情報は生成しなくてもよい。同様に、グループＡにもグループＣにも属する一の加盟店（更にグループＢに属するか否かは問わない）から取得した呼出器系情報に基づく合成情報と、当該加盟店から取得したＨＣ系情報に基づく合成情報とは同一となるため、何れか一方があればよい。例えば、グループＢ管理サーバ２０は、呼出器系情報に基づく合成情報を生成し、ＨＣ系情報に基づく合成情報は生成しなくてもよい。
【０２５３】
なお、上記においても、データの値の細かさについて言及していたが、以下、図１７及び図１８を用いて、データの値の細かさが異なる場合の態様について説明する。
【０２５４】
図１７（Ａ）は、グループＡ、Ｂの２つに属する加盟店の店舗（具体例として店舗コード「Ｔ００９９２」の店舗）からグループＢ管理サーバ２０に送信されるＣＵ系情報の一例である。具体的には、図１７（Ａ）は、図１５（Ａ）に示したＣＵ系情報のデータ項目（図４の「ＥＸ」と示した範囲のデータ項目）と他のデータ項目「推定年齢（１歳単位）」とを表している。図１７（Ａ）に示したＣＵ系情報に含まれる推定年齢（１歳単位）は、図４に示した顔認証情報の一例である。
【０２５５】
図１７（Ｂ）は、グループＡ、Ｂの２つに属する加盟店の店舗（具体例として店舗コード「Ｔ００９９２」の店舗）からグループＡ管理サーバ１０に送信される呼出器系情報の一例である。具体的には、図１７（Ｂ）は、図１５（Ｃ）に示した呼出器系情報のデータ項目（図４の「ＥＸ」と示した範囲のデータ項目）と他のデータ項目「推定年齢（５歳単位）」とを表している。図１７（Ｂ）に示した呼出器系情報に含まれる推定年齢（５歳単位）は、図４に示した顔認証情報の一例である。
【０２５６】
図１７（Ａ）に示したＣＵ系情報に含まれる推定年齢（１歳単位）は、図１７（Ｂ）に示した呼出器系情報に含まれる推定年齢（５歳単位）よりも細かい。なお、推定年齢が細かさとは、推定年齢の結果が何歳単位であるかの細かさであって、必ずしも、例えば推定結果自体の確度や尤度を示したものでなくてもよい。
【０２５７】
推定年齢（１歳単位）は推定年齢（５歳単位）よりも細かいため、推定年齢（１歳単位）から推定年齢（５歳単位）を取得することはできるものの、推定年齢（５歳単位）から推定年齢（１歳単位）を取得することはできない。図１７の例を用いて説明すると、例えば、推定年齢（１歳単位）である「３７」に対して四捨五入などの丸め処理を行えば推定年齢（５歳単位）である「３５」を容易に取得可能であるが、推定年齢（５歳単位）である「３５」から推定年齢（１歳単位）である「３７」を取得するのは困難である。
【０２５８】
図１８（Ａ）は、グループＡ、Ｂの２つに属する加盟店の店舗（具体例として店舗コード「Ｔ００９９２」の店舗）からグループＢ管理サーバ２０に送信されるＣＵ系情報を元に生成されるグループＡ向け変換情報（ＣＵ系情報ベース）の一例である。具体的には、図１８（Ａ）は、図１７（Ａ）に示したＣＵ系情報の範囲内のデータ項目を表している。図１８（Ａ）に示したグループＡ向け変換情報（ＣＵ系情報ベース）には、図１７（Ｂ）に示した呼出器系情報に含まれる推定年齢（５歳単位）ではなく、図１７（Ａ）に示したＣＵ系情報に含まれる推定年齢（１歳単位）が含まれている。
【０２５９】
図１７（Ｂ）及び図１８（Ａ）によれば、図１８（Ａ）に示したグループＡ向け変換情報（ＣＵ系情報ベース）は、推定年齢（１歳単位）を含むため、図１７（Ｂ）に示した呼出器系情報と同一ではない。つまり、グループＡ管理サーバ１０にとって、図１８（Ａ）に示したグループＡ向け変換情報（ＣＵ系情報ベース）は、有益なデータである。従って、グループＢ管理サーバ２０は、図１８（Ａ）に示したグループＡ向け変換情報（ＣＵ系情報ベース）をグループＡ管理サーバ１０へ送信してもよい。つまり、図１５及び図１６においては、グループＢ管理サーバ２０は、グループＢにもグループＡにも属する加盟店（更にグループＣに属するか否かは問わない）から取得したＣＵ系情報を元にしたグループＡ向け変換情報（ＣＵ系情報ベース）については生成もグループＡ管理サーバ１０への送信も行わないようにしてもよいと説明したが、ＣＵ系情報の方が呼出器系情報よりも細かいデータを含む場合には、グループＡ向け変換情報（ＣＵ系情報ベース）を生成してグループＡ管理サーバ１０へ送信してもよい。なお、グループＢ管理サーバ２０にとっては、図１７（Ｂ）に示した呼出器系情報は有益なデータではないため、グループＡ管理サーバ１０は、グループＢにもグループＡにも属する加盟店（更にグループＣに属するか否かは問わない）から取得した呼出器系情報をグループＢ管理サーバ２０に送信しなくてもよい。
【０２６０】
しかしながら、図１８（Ａ）に示したグループＡ向け変換情報（ＣＵ系情報ベース）のの殆どの部分（推定年齢（１歳単位）以外の部分）は、図１７（Ｂ）に示した呼出器系情報から得ることができる。つまり、グループＡ管理サーバ１０にとって、図１８（Ａ）に示したグループＡ向け変換情報（ＣＵ系情報ベース）の一部（推定年齢（１歳単位）の部分）が、有益なデータである。従って、グループＢ管理サーバ２０は、図１８（Ａ）に示したグループＡ向け変換情報（ＣＵ系情報ベース）に代えて、図１８（Ｂ）に示したグループＡ向け変換情報（ＣＵ系情報ベース）を送信してもよい。図１８（Ｂ）に示したグループＡ向け変換情報（ＣＵ系情報ベース）は、有益なデータ（呼出器系情報よりも細かいデータである推定年齢（１歳単位）の部分）を送信対象としたグループＡ向け変換情報（ＣＵ系情報ベース）である。なお、図１８（Ａ）では、推定年齢（１歳単位）に加えて基礎情報も送信対象としているが、何れの遊技機２００に関する情報であるかが特定可能であれば足りるため、送信対象とする基礎情報は、例えば台コードのみであってもよい。つまり、グループＢ管理サーバ２０は、必要最小限の情報を送信してもよい。
【０２６１】
また、非図示としたが、グループＣ向け変換情報（ＣＵ系情報ベース）についても同様である。つまり、図１５及び図１６においては、グループＢ管理サーバ２０は、グループＢにもグループＣにも属する加盟店（更にグループＡに属するか否かは問わない）から取得したＣＵ系情報を元にしたグループＣ向け変換情報（ＣＵ系情報ベース）については生成もグループＣ管理サーバ３０への送信も行わないようにしてもよいと説明したが、ＣＵ系情報の方がＨＣ系情報よりも細かいデータを含む場合には、グループＣ向け変換情報（ＣＵ系情報ベース）を生成してグループＣ管理サーバ３０へ送信してもよい。なお、上記場合、グループＢ管理サーバ２０にとっては、ＨＣ系情報は有益なデータではないため、グループＣ管理サーバ３０は、グループＢにもグループＣにも属する加盟店（更にグループＡに属するか否かは問わない）から取得したＨＣ系情報をグループＢ管理サーバ２０に送信しなくてもよい。
【０２６２】
図１８（Ｃ）は、図１８（Ａ）に示したグループＡ向け変換情報（ＣＵ系情報ベース）を送信する場合（又は、図１８（Ｂ）に示したグループＡ向け変換情報（ＣＵ系情報ベース）を送信する場合）において送信するグループＡ向けオプション情報の一例である。具体的には、図１８（Ｃ）は、図１７（Ａ）に示したＣＵ系情報の範囲内のデータ項目を表している。図１８（Ｃ）に示したグループＡ向けオプション情報は、図１６（Ｂ）に示したグループＡ向けオプション情報と同一である。
【０２６３】
なお、グループＢ管理サーバ２０は、図１８（Ｃ）に示したグループＡ向けオプション情報に代えて、図１８（Ｄ）に示したグループＡ向けオプション情報（ＣＵ系情報ベース）を送信してもよい。図１８（Ｄ）に示したグループＡ向けオプション情報は、図１８（Ｃ）に示したグループＡ向けオプション情報に推定年齢（１歳単位）を付加したものである。つまり、グループＢ管理サーバ２０は、グループＡ管理サーバ１０にとって有益なデータ（推定年齢（１歳単位）の部分）を、図１８（Ａ）又は図１８（Ｂ）に示したグループＡ向け変換情報（ＣＵ系情報ベース）として送信してもよいし、図１８（Ｄ）に示したグループＡ向けオプション情報として送信してもよい。
【０２６４】
＜データの値の細かさを考慮した精算処理＞
グループＢにもグループＡにも属する加盟店からグループＢ管理サーバ２０が取得するＣＵ系情報の方が、当該加盟店からグループＡ管理サーバ１０が取得する呼出器系情報よりも細かいデータを含む場合において、グループＡ管理サーバ１０が、当該呼出器系情報（即ち、グループＢ管理サーバ２０にとって有益でないデータを含む呼出器系情報）が送信された場合には、有益でないデータ分をカウントしないようにすればよい。例えば、精算処理の第１の実施例（図１０）では、データ件数の差の計算（ステップＳａ１５０、Ｓｂ１５０）において、データ件数から有益でないデータ分を減算してもよい。また、精算処理の第２の実施例（図１１）では、販売金額や購入金額の算出（ステップＳａ２５０、Ｓｂ２５０）において、データ件数から有益でないデータ分を減算してもよい。また、精算処理の第３の実施例（図１２）では、購入金額の算出（ステップＳａ３５０）において、データ件数から有益でないデータ分を減算してもよい。また、データ件数を調整（減算）するのではなく、単価を調整してもよい。例えば、呼出器系情報が、推定年齢（５歳単位）の如くグループＢ管理サーバ２０とって有益でないデータを含む場合には、呼出器系情報の単価（第２単価）を低くしてもよい。例えば、呼出器系情報の単価（第２単価）をグループＡ向け変換情報（ＣＵ系情報ベース）の単価（第３単価）よりも低くしてもよい。
【０２６５】
グループＢにもグループＣにも属する加盟店からグループＢ管理サーバ２０が取得するＣＵ系情報の方が、当該加盟店からグループＣ管理サーバ３０が取得するＨＣ系情報よりも細かいデータを含む場合において、グループＣ管理サーバ３０が、当該ＨＣ系情報（即ち、グループＢ管理サーバ２０にとって有益でないデータを含むＨＣ系情報）が送信された場合には、有益でないデータ分をカウントしないようにすればよい。例えば、精算処理の第１の実施例（図１０）では、データ件数の差の計算（ステップＳａ１５２、Ｓｃ１５０）において、データ件数から有益でないデータ分を減算してもよい。また、精算処理の第２の実施例（図１１）では、販売金額や購入金額の算出（ステップＳａ２５３、Ｓｂ２５４）において、データ件数から有益でないデータ分を減算してもよい。また、精算処理の第３の実施例（図１２）では、購入金額の算出（ステップＳａ３５４）において、データ件数から有益でないデータ分を減算してもよい。また、データ件数を調整（減算）するのではなく、単価を調整してもよい。例えば、ＨＣ系情報が、グループＢ管理サーバ２０とって有益でないデータを含む場合には、ＨＣ系情報の単価（第４単価）を低くしてもよい。例えば、ＨＣ系情報の単価（第４単価）をグループＣ向け変換情報（ＣＵ系情報ベース）の単価（第５単価）よりも低くしてもよい。
【０２６６】
以上、本発明の実施形態について説明したが、装置構成、データ構成、フローチャートで示した処理などは、本発明の趣旨を逸脱しない範囲で、任意に変更及び修正が可能である。
【０２６７】
例えば、図５では、グループＢ管理サーバ２０は、合成情報をグループＢの加盟店である各店舗や遊技機メーカや異業種等に送信しているが（図５の矢印ｆ）、合成情報の送信先は合成情報をグループＢの加盟店である各店舗や遊技機メーカや異業種等に限定されない。例えば、グループＢ管理サーバ２０は、グループＢの加盟店である各店舗や遊技機メーカや異業種等に代えて又は加えて、グループＡ管理サーバ１０やグループＣ管理サーバ３０に合成情報を送信してもよい。また、図５では、合成情報を取得する店舗はグループＢの加盟店であるが、合成情報を取得する店舗はグループＢの加盟店に限定されない。例えば、グループＢ管理サーバ２０が、配下の各店舗（グループＢの加盟店の各店舗）に代えて又は加えて、グループＡの加盟店の各店舗やグループＣの加盟店の各店舗に合成情報を送信してもよい。また、グループＢ管理サーバ２０から合成情報を取得したグループＡ管理サーバ１０が、配下の各店舗（グループＡの加盟店の各店舗）や、グループＣの加盟店の各店舗や、グループＢ管理サーバ２０が合成情報を送信しない場合にはグループＢの加盟店の各店舗に、合成情報を送信してもよいし、グループＢ管理サーバ２０から合成情報を取得したグループＣ管理サーバ３０が、配下の各店舗（グループＣの加盟店の各店舗）や、グループＡの加盟店の各店舗や、グループＢ管理サーバ２０が合成情報を送信しない場合にはグループＢの加盟店の各店舗に、合成情報を送信してもよい。
【０２６８】
また、図１８では、データの値に細かさがあるデータ項目として「推定年齢」を用いたが、「推定年齢」はデータの値に細かさがあるデータ項目の一例である。例えば、景品交換における景品コードの値に細かさがあってもよい（例えば、呼出器系情報ではコーヒー大、コーヒー中、コーヒー小の３種類の景品コードが存在しているのに対し、ＣＵ系情報では、コーヒー（微糖）大、コーヒー（微糖）中、コーヒー（微糖）小、コーヒー（ブラック）大、コーヒー（ブラック）中、コーヒー（ブラック）小の６種類の景品コードが存在してもよい）。
【０２６９】
なお、グループＡ管理サーバ１０は、１つの装置から構成されていてもよいし、２以上の装置から構成されていてもよい。即ち、グループＡ管理サーバ１０は、図１〜図１８の各所において説明した機能を実行するものであればよく、必ずしも、１つの筐体において実現されるものでなくてもよい。グループＢ管理サーバ２０、グループＣ管理サーバ３０についても同様である。
【０２７０】
なお、グループＡ管理サーバ１０、グループＢ管理サーバ２０、グループＣ管理サーバ３０のうちの少なくとも２つの管理サーバ間における情報の連携（送受信）を行うシステムを「情報連携システム」と称してもよい。情報連携システムには、種々の態様（例えば、下記の情報連携システム１〜情報連携システム５等）があってもよい。
【０２７１】
＜情報連携システム１＞
情報連携システムの一態様である情報連携システム１は、グループＡ管理サーバ１０とグループＢ管理サーバ２０との間において、呼出器系情報やグループＡ向け変換情報（ＣＵ系情報ベース）の送受信（図５の矢印ａ、矢印ｄ）を行うシステムである。情報連携システム１では、グループＡ管理サーバ１０とグループＢ管理サーバ２０との間において、上記に代えて又は加えて、グループＡ向けオプション情報（図５の矢印ｇ）の送受信を行ってもよい。情報連携システム１は、例えば、グループＡ管理サーバ１０とグループＢ管理サーバ２０のうち少なくとも１つを含むものであってもよい。
【０２７２】
＜情報連携システム２＞
情報連携システムの一態様である情報連携システム２は、グループＣ管理サーバ３０とグループＢ管理サーバ２０との間において、ＨＣ系情報やグループＣ向け変換情報（ＣＵ系情報ベース）の送受信（図５の矢印ｃ、矢印ｅ）を行うシステムである。情報連携システム２では、グループＣ管理サーバ３０とグループＢ管理サーバ２０との間において、上記に代えて又は加えて、グループＣ向けオプション情報の送受信（図５の矢印ｈ）を行ってもよい。情報連携システム２は、例えば、グループＣ管理サーバ３０とグループＢ管理サーバ２０のうち少なくとも１つを含むものであってもよい。
【０２７３】
＜情報連携システム３＞
情報連携システムの一態様である情報連携システム３は、グループＡ管理サーバ１０とグループＢ管理サーバ２０との間において、グループＡ向け変換情報（ＨＣ系情報ベース）の送受信（図１３の矢印ｉ）を行うシステムである。情報連携システム３は、例えば、グループＡ管理サーバ１０とグループＢ管理サーバ２０のうち少なくとも１つを含むものであってもよい。
【０２７４】
＜情報連携システム４＞
情報連携システムの一態様である情報連携システム４は、グループＣ管理サーバ３０とグループＢ管理サーバ２０との間において、グループＣ向け変換情報（呼出器系情報ベース）の送受信（図１３の矢印ｊ）を行うシステムである。情報連携システム４は、例えば、グループＣ管理サーバ３０とグループＢ管理サーバ２０のうち少なくとも１つを含むものであってもよい。
【０２７５】
＜情報連携システム５＞
情報連携システムの一態様である情報連携システム５は、グループＡ管理サーバ１０とグループＢ管理サーバ２０との間において双方向に情報の送受信を行うとともに、グループＣ管理サーバ３０とグループＢ管理サーバ２０との間において双方向に情報の送受信を行うシステムである。例えば、情報連携システム５では、グループＡ管理サーバ１０からグループＢ管理サーバ２０に呼出器系情報が送信され（図５の矢印ａ）、グループＢ管理サーバ２０からグループＡ管理サーバ１０にグループＡ向け変換情報（ＣＵ系情報ベース）、グループＡ向けオプション情報、グループＡ向け変換情報（ＨＣ系情報ベース）のうちの少なくとも１つが送信され（図５の矢印ｄ、図５の矢印ｇ、図１３の矢印ｉ）、グループＣ管理サーバ３０からグループＢ管理サーバ２０にＨＣ系情報が送信され（図５の矢印ｃ）、グループＢ管理サーバ２０からグループＣ管理サーバ３０にグループＣ向け変換情報（ＣＵ系情報ベース）、グループＣ向けオプション情報、グループＣ向け変換情報（呼出器系情報ベース）のうちの少なくとも１つが送信されてもよい（図５の矢印ｅ、図５の矢印ｈ、図１３の矢印ｊ）。情報連携システム５は、例えば、グループＢ管理サーバ２０を含むものであってもよい。
【０２７６】
なお、情報連携システム１では、グループＡ管理サーバ１０とグループＢ管理サーバ２０との間において、更に、グループＡ向け変換情報（ＨＣ系情報ベース）の送受信（図１３の矢印ｉ）を行ってもよい。情報連携システム２では、グループＣ管理サーバ３０とグループＢ管理サーバ２０との間において、更に、グループＣ向け変換情報（呼出器系情報ベース）の送受信（図１３の矢印ｊ）を行ってもよい。
【０２７７】
また、情報連携システム１（情報連携システム３、情報連携システム５も同様）では、グループＡ管理サーバ１０がグループＢの加盟店の各店舗に呼出器系情報を送信してもよい（図１４の矢印ａ）。情報連携システム１（情報連携システム３、情報連携システム５）においてグループＡ管理サーバ１０がグループＢの加盟店の各店舗に呼出器系情報を送信する態様では、情報連携システム１（情報連携システム３、情報連携システム５）は、グループＡ管理サーバ１０を含むものであってもよい。なお、グループＡ管理サーバ１０は、呼出器系情報に代えて又は加えて、例えば、グループＢ管理サーバ２０から取得した情報（グループＡ向け変換情報（ＣＵ系情報ベース）、グループＡ向けオプション情報、グループＡ向け変換情報（ＨＣ系情報ベース）等）をグループＢの加盟店の各店舗に送信してもよい。
【０２７８】
また、情報連携システム２（情報連携システム４、情報連携システム５も同様）では、グループＣ管理サーバ３０がグループＢの加盟店の各店舗にＨＣ系情報を送信してもよい（図１４の矢印ｃ）。情報連携システム２（情報連携システム４、情報連携システム５）においてグループＣ管理サーバ３０がグループＢの加盟店の各店舗にＨＣ系情報を送信する態様では、情報連携システム２（情報連携システム４、情報連携システム５）は、グループＣ管理サーバ３０を含むものであってもよい。なお、グループＣ管理サーバ３０は、ＨＣ系情報に代えて又は加えて、例えば、グループＢ管理サーバ２０から取得した情報（グループＣ向け変換情報（ＣＵ系情報ベース）、グループＣ向けオプション情報、グループＣ向け変換情報（呼出器系情報ベース）等）をグループＢの加盟店の各店舗に送信してもよい。
【０２７９】
以上、上記実施形態によれば、情報連携システム１〜情報連携システム５等の情報連携システムは、遊技機（例えば、遊技機１００、２００等）に対応して遊技場（例えば、加盟店の店舗等）に設けられる第１種類の周辺機器（例えば、ＣＵ２１０、情報表示装置１２０等）を管理（管理には情報の取得の他、メンテナンス等の保守も含まれていてもよい。以下、同様）する第１の管理手段（例えば、第１種類の周辺機器がＣＵ２１０であるときにはＣＵ２１０からの情報に基づくＣＵ系情報を玉管理コンピュータ２５０から取得するグループＢ管理サーバ２０、第１種類の周辺機器が情報表示装置１２０であるときには情報表示装置１２０からの情報に基づく呼出器系情報を呼出器管理コンピュータ１４０から取得するグループＡ管理サーバ１０等）と、第２種類の周辺機器（例えば、ＣＵ２１０、情報表示装置１２０、玉管理コンピュータ２５０、呼出器管理コンピュータ１４０、ＨＣ１３０のうちの第１種類の周辺機器とは異なるもの）を管理する第２の管理手段（例えば、第１種類の周辺機器がＣＵ２１０であるときにはグループＡ管理サーバ１０又はグループＣ管理サーバ３０、第１種類の周辺機器が情報表示装置１２０であるときにはグループＢ管理サーバ２０又はグループＣ管理サーバ３０等）と、の間の情報連携を行う遊技用システムであって、第１の管理手段（例えば、グループＡ管理サーバ１０等）は、第１種類の周辺機器から得られる情報（例えば、呼出器系情報等）を第２の管理手段（例えば、グループＢ管理サーバ２０等）に送信し、第２種類の周辺機器（例えば、玉管理コンピュータ２５０等）から得られる情報（例えば、ＣＵ系情報を元に生成されるグループＡ向け変換情報（ＣＵ系情報ベース）等。なお、図８（Ａ）等に示すように、グループＡ向け変換情報（ＣＵ系情報ベース）は、玉管理コンピュータ２５０から得られる情報（一部）である。）を第２の管理手段（例えば、グループＢ管理サーバ２０等）から受信する送受信手段（例えば、図６のステップＳａ１０、Ｓａ２４の処理等）と、第２の管理手段から受信した情報量（例えば、グループＡ向け変換情報（ＣＵ系情報ベース）の情報量等）と第２の管理手段に送信した情報量（例えば、呼出器系情報の情報量等）とにおける情報量の差を特定可能な特定手段（例えば、図１０のステップＳａ１５０の処理等）とを備える。
【０２８０】
上記の構成によれば、遊技場に関する情報を好適に集めることができる。つまり、夫々の不足情報を夫々に補完するために夫々から遊技場に関する情報を好適に集める必要があるが、提供する情報量に差があるのに得られる情報量が一定であると損得が生じるため（具体的には、自身が他社に提供した情報量＜自身が他者から提供された情報量であれば得をし、逆であると損をするため）、つまり貢献度が異なるのに恩恵が同じなのは不公平であるため、実際の損得の状況（＝「情報量の差」）が不明であっても損を恐れて、自身が持つ遊技場に関する情報を積極的に提供しなくなる虞がある。つまり、全体として、遊技場に関する情報を好適に収集できなくなる。上記の構成によれば、提供する情報量の差が特定されるため、特定した情報量の差に応じて損得を解消する方向に適切な処置を施すことが可能になる。適切な処置が施されて損得が解消されると分かれば、遊技場に関する情報を積極的に提供しても問題はなくなるため、遊技場に関する情報を好適に集めることができるようになる。
【０２８１】
上記遊技用システム（例えば、情報連携システム等）において、第２の管理手段（例えば、グループＢ管理サーバ２０等）は、第２種類の周辺機器から得られる情報（例えば、グループＡ向け変換情報（ＣＵ系情報ベース）等）を第１の管理手段（例えば、グループＡ管理サーバ１０等）に送信し、第１種類の周辺機器から得られる情報（例えば、呼出器系情報等）を第１の管理手段から受信する送受信手段（例えば、図６のステップＳｂ１２、Ｓｂ２２の処理等）と、第１の管理手段から受信した情報量（例えば、呼出器系情報の情報量等）と第１の管理手段に送信した情報量（例えば、グループＡ向け変換情報（ＣＵ系情報ベース）の情報量等）とにおける情報量の差を特定可能な特定手段（例えば、図１０のステップＳｂ１５０の処理等）とを備える。
【０２８２】
上記の構成によれば、遊技場に関する情報を好適に集めることができる。
【０２８３】
上記遊技用システム（例えば、情報連携システム等）において、第１種類の周辺機器から得られる情報の項目と、第２種類の周辺機器から得られる情報の項目とは、少なくとも一部が異なる（例えば、図７（Ｂ）に示した呼出器系情報のデータ項目と、図８（Ａ）に示したグループＡ向け変換情報（ＣＵ系情報ベース）のデータ項目とは、例えば、大当り（初当）の総回数の有無が異なる）。
【０２８４】
上記の構成によれば、項目が異なる情報も好適に集めることができる。
【０２８５】
上記遊技用システム（例えば、情報連携システム等）は、前記特定手段によって前記情報量の差が特定された場合に精算金額を算出する算出手段（例えば、図６、図１０〜図１２のステップＳａ５０、Ｓｂ５０、Ｓｃ５０の処理等）を備える。
【０２８６】
上記の構成によれば、遊技場に関する情報を好適に集めることができる。つまり、上記の構成によれば、特定した情報量の差に応じた処置（精算）ができるため、遊技場に関する情報を好適に集めることができるようになる。
【０２８７】
上記遊技用システム（例えば、情報連携システム等）において、前記算出手段は、第１種類の周辺機器から得られる情報と第２種類の周辺機器から得られる情報とは価値が異なるものとして精算金額を算出する（例えば、図１１、図１２において、呼出器系情報の情報量に対する単価（第２単価）と、グループＡ向け変換情報（ＣＵ系情報ベース）に対する単価（第３単価）とを異ならせて精算金額を算出する）。
【０２８８】
上記の構成によれば、遊技場に関する情報を好適に集めることができる。つまり、上記の構成によれば、特定した情報量の差に応じた適切な処置（精算）ができるため、遊技場に関する情報を好適に集めることができるようになる。
【０２８９】
上記遊技用システム（例えば、情報連携システム等）において、前記算出手段は、第２の管理手段（例えば、グループＢ管理サーバ２０等）が管理する第２種類の周辺機器（例えば、ＣＵ２１０や玉管理コンピュータ２５０等）を設置している者（例えば、グループＢの加盟店等）に、第１種類の周辺機器から得られる情報（例えば、呼出器系情報等）を送信するときに発生する、第１の管理手段側（例えば、グループＡ管理サーバ１０側等）から第２の管理手段側（例えば、グループＢ管理サーバ２０側等）への精算金額（図１４のＭ１０の金額等）を算出してもよい。例えば、上記精算金額として、第２種類の周辺機器を設置している者が第１の管理手段側に支払う金額（例えば、第１種類の周辺機器から得られる情報の情報量に応じた金額）の一部（所定の割合）を算出してもよい。
【０２９０】
上記の構成によれば、遊技場に関する情報を好適に集めることができる。つまり、上記の構成によれば、情報の提供先が拡大して利益の増加が望めるため、遊技場に関する情報を好適に集めることができるようになる。
【０２９１】
上記遊技用システム（例えば、情報連携システム等）は、第１種類の周辺機器（例えば、ＣＵ２１０等）から得られる情報（例えば、ＣＵ系情報等）を第２種類の周辺機器（例えば、呼出器管理コンピュータ１４０、ＨＣ１３０等）から得られる情報（例えば、呼出器系情報、ＨＣ系情報等）の形式（データ項目やデータの値の細かさ）に変換する変換手段（例えば、図６のステップＳｂ２０、Ｓｂ３０の処理等）を備える。
【０２９２】
上記の構成によれば、遊技場に関する情報を好適に集めることができる。
【０２９３】
上記遊技用システム（例えば、情報連携システム等）において、第１の管理手段（例えば、グループＢ管理サーバ２０等）の前記送受信手段は、第３種類の周辺機器（例えば、ＨＣ１３０等）を管理する第３の管理手段（例えば、グループＣ管理サーバ３０等）に、第２の管理手段（例えば、グループＡ管理サーバ１０等）から受信した第２種類の周辺機器から得られる情報（例えば、呼出器系情報を元に生成されるグループＣ向け変換情報（呼出器系情報ベース）等。なお、図９（Ｃ）等に示すように、グループＣ向け変換情報（呼出器系情報ベース）は、呼出器管理コンピュータ１４０から得られる情報（一部）である。）を送信する。
【０２９４】
上記の構成によれば、遊技場に関する情報を好適に集めることができる。
【０２９５】
上記遊技用システム（例えば、情報連携システム等）において、第１の管理手段（例えば、グループＢ管理サーバ２０等）の前記送受信手段は、第３種類の周辺機器（例えば、ＨＣ１３０等）から得られる情報（例えば、ＨＣ系情報等）を第３の管理手段（例えば、グループＣ管理サーバ３０等）から受信し（例えば、図６のＳｂ１６の処理等）、第１の管理手段が備える前記変換手段は、第３種類の周辺機器から得られる情報（例えば、ＨＣ系情報等）を第２種類の周辺機器から得られる情報（例えば、呼出器系情報等）の形式に変換する。
【０２９６】
上記の構成によれば、遊技場に関する情報を好適に集めることができる。
【０２９７】
また、上記実施形態によれば、遊技機（例えば、遊技機２００等）に対応して遊技場（例えば、加盟店の店舗等）に設けられる第１種類の周辺機器（例えば、ＣＵ２１０等）を管理する管理サーバ（例えば、グループＢ管理サーバ２０等）は、第１種類の周辺機器から得られる情報（例えば、ＣＵ系情報を元に生成されるグループＡ向け変換情報（ＣＵ系情報ベース）やグループＣ向け変換情報（ＣＵ系情報ベース）等。なお、図８（Ａ）や図８（Ｃ）等に示すように、グループＡ向け変換情報（ＣＵ系情報ベース）やグループＣ向け変換情報（ＣＵ系情報ベース）は、ＣＵ２１０から得られる情報（一部）である。）を第２種類の周辺機器を管理する第２の管理手段（例えば、グループＡ管理サーバ１０やグループＣ管理サーバ３０等）に送信する送信手段（例えば、図６のステップＳｂ２２、Ｓｂ３２等）と、第２種類の周辺機器から得られる情報を第２の管理手段から受信する受信手段（例えば、図６のステップＳｂ１２、Ｓｂ１６等）と、第２の管理手段から受信した情報量と第２の管理手段に送信した情報量とにおける情報量の差を特定可能な特定手段（例えば、図１０（Ｂ）のステップＳｂ１５０、ステップＳｂ１５２等）とを備える。
【０２９８】
上記の構成によれば、遊技場に関する情報を好適に集めることができる。
【０２９９】
グループＢ管理サーバ２０（グループＡ管理サーバ１０やグループＣ管理サーバ３０も同様）は、種々のデータベース（例えば、地図ＤＢ、会員ＤＢ、天気ＤＢ等）を備え、データベース内の情報を活用して他のサーバ等に情報を送信してもよい。例えば、地域毎や、会員ランク（例えば遊技の頻度、貯玉数等によるランク）毎や、天気毎に、店舗から取得した情報を分類して集計し、分類した全部又は一部の情報を他のサーバ等に送信してもよい。また、分類毎に情報の単価を異ならせてもよい。
【０３００】
また、上記実施形態の遊技機１００、２００は、図４のデータ項目が示すようにパチンコ機であったが、上記実施形態の遊技機１００、２００は、メダルが投入されて所定の賭け数が設定され、遊技者による操作レバーの操作に応じて複数種類の図柄を回転させ、遊技者によるストップボタンの操作に応じて図柄を停止させたときに停止図柄の組合せが特定の図柄の組み合わせになると、所定数のメダルが遊技者に払い出されるゲームを実行可能なスロット機（例えば、ビッグボーナス、レギュラーボーナス、ＲＴ、ＡＴ、ＡＲＴ、ＣＺ（以下、ボーナス等）のうち１以上を搭載するスロット機）であってもよい。
【０３０１】
遊技機１００、２００がスロット機である場合には、図４に示したデータ項目は、スロット機に応じたものが用いられればよい。スロット機に応じたデータ項目としては、ボーナス等の回数やゲーム数などが含まれていてもよい。
【０３０２】
本発明を実現するためのプログラム及びデータは、遊技機１００、２００に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０３０３】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【符号の説明】
【０３０４】
１０  …  グループＡ管理サーバ
２０  …  グループＢ管理サーバ
３０  …  グループＣ管理サーバ
１００  …  遊技機（タイプ１）
１１０  …  ＣＵ（タイプ１）
１２０  …  情報表示装置
１３０  …  ホールコンピュータ
１４０  …  呼出器管理コンピュータ
１５０  …  玉管理コンピュータ（タイプ１）
２００  …  遊技機（タイプ２）
２１０  …  ＣＵ（タイプ２）
２５０  …  玉管理コンピュータ（タイプ２）
【図１】
0006717578.tif 000002
【図２】
0006717578.tif 000003
【図３】
0006717578.tif 000004
【図４】
0006717578.tif 000005
【図５】
0006717578.tif 000006
【図６】
0006717578.tif 000007
【図７】
0006717578.tif 000008
【図８】
0006717578.tif 000009
【図９】
0006717578.tif 000010
【図１０】
0006717578.tif 000011
【図１１】
0006717578.tif 000012
【図１２】
0006717578.tif 000013
【図１３】
0006717578.tif 000014
【図１４】
0006717578.tif 000015
【図１５】
0006717578.tif 000016
【図１６】
0006717578.tif 000017
【図１７】
0006717578.tif 000018
【図１８】
0006717578.tif 000019